(57)【要約】【課題】硬貨の計数処理において、計数対象の硬貨と計数対象外の硬貨を迅速かつ円滑に回収することが可能な貨幣処理装置を提供する。【解決手段】貨幣入出金機は、硬貨入金口１３と、硬貨出金ボックス１６ａ、１６ｂと、硬貨を搬送するための搬送部１０７と、搬送部１０７により搬送される硬貨を硬貨出金ボックス１６ａ、１６ｂに振り分ける分岐機構１１２と、硬貨を識別するための識別部１０８と、制御部と、を備える。制御部は、硬貨入金口１３に投入された硬貨を計数する処理において、識別部１０８により計数対象と識別された計数硬貨を硬貨出金ボックス１６ａに振り分け、識別部１０８により計数対象外と識別されたリジェクト硬貨を硬貨出金ボックス１６ｂに振り分ける。【選択図】図４
2019057269.tif 000002
【特許請求の範囲】
【請求項１】
左右の操作者の間に配置され、各操作者からそれぞれ貨幣の入出金等の処理を行うことが可能な貨幣処理装置において、
前記硬貨を投入するための硬貨入金口と、
硬貨を取り出し可能な第１および第２の硬貨出金部と、
前記硬貨入金口に投入された前記硬貨を搬送するための搬送部と、
前記搬送部により搬送される前記硬貨を前記第１の硬貨出金部および前記第２の硬貨出金部に振り分ける振り分け部と、
前記硬貨を識別するための識別部と、
制御部と、を備え、
前記制御部は、前記硬貨投入口に投入された前記硬貨を計数する処理において、前記識別部により計数対象と識別された第１の種別の前記硬貨を前記第１の硬貨出金部および前記第２の硬貨出金部の一方に振り分け、前記識別部により計数対象外と識別された第２の種別の前記硬貨を前記第１の硬貨出金部および前記第２の硬貨出金部の他方に振り分ける、
ことを特徴とする貨幣処理装置。
【請求項２】
前記制御部は、前記第１の硬貨出金部および前記第２の硬貨出金部のうち処理を占有するテラー側の硬貨出金部に前記第１の種別の前記硬貨を振り分け、他方の硬貨出金部に前記第２の種別の前記硬貨を振り分ける、
請求項１に記載の貨幣処理装置。
【請求項３】
前記硬貨を計数する処理が、全ての金種について硬貨を計数する単純計数処理である場合、前記第１の種別の硬貨は計数対象として識別された任意の金種の硬貨であり、前記第２の種別の硬貨は計数対象として識別され得なかった硬貨である、
請求項１または２に記載の貨幣処理装置。
【請求項４】
前記硬貨を計数する処理が、指定された金種について硬貨を計数する整理計数処理である場合、前記第１の種別の硬貨は計数対象として識別された指定金種の硬貨であり、前記第２の種別の硬貨は計数対象として識別され得なかった硬貨である、
請求項１または２に記載の貨幣処理装置。
【請求項５】
前記整理計数処理において、前記指定された金種について所定の枚数ずつ硬貨を出金する処理が行われる場合、前記制御部は、前記指定された金種について前記所定の枚数の硬貨が前記一方の硬貨出金部に搬送されると、前記指定された金種の前記硬貨の搬送先を、前記一方の硬貨出金部から前記硬貨入金口へと切り替える、
請求項４に記載の貨幣処理装置。
【請求項６】
前記制御部は、前記第１の硬貨出金部および前記第２の硬貨出金部の少なくとも一方において前記硬貨の収容枚数が予め決められた最大収容枚数に到達した場合、前記搬送部による前記硬貨の搬送を停止させる、
請求項１ないし５の何れか一項に記載の貨幣処理装置。
【請求項７】
前記制御部は、前記硬貨の収容枚数が最大収容枚数に到達した前記硬貨出金部を前記操作者に報知する処理を実行する、
請求項６に記載の貨幣処理装置。
【請求項８】
前記第１の硬貨出金部と前記第２の硬貨出金部は、同等の容量を有する、
請求項１ないし７の何れか一項に記載の貨幣処理装置。
【請求項９】
硬貨を投入するための硬貨入金口と、
硬貨を取り出し可能な硬貨出金部と、
硬貨を一時保留するための硬貨保留部と、
前記硬貨入金口に投入された前記硬貨を搬送するための搬送部と、
前記搬送部により搬送される前記硬貨を前記硬貨出金部および前記硬貨保留部に振り分ける振り分け部と、
前記硬貨を識別するための識別部と、
制御部と、を備え、
前記制御部は、前記硬貨投入口に投入された前記硬貨を計数する処理において、前記識別部により計数対象と識別された第１の種別の前記硬貨を前記硬貨出金部に振り分け、前記識別部により計数対象外と識別された第２の種別の前記硬貨を前記硬貨保留部に振り分け、前記第１の種別の硬貨が取り出された後に、前記硬貨保留部に振り分けられた前記第２の種別の前記硬貨を、前記硬貨出金部に送り出す、
ことを特徴とする貨幣処理装置。
【請求項１０】
前記貨幣処理装置は、左右の操作者の間に配置されて、各操作者からそれぞれ貨幣の入出金等の処理を行うことが可能であり、
装置本体の左側および右側にそれぞれ前記硬貨出金部が配置され、
前記制御部は、前記第１の種別の前記硬貨を、前記左右の硬貨出金部のうち前記硬貨を計数する処理を占有する操作者側の前記硬貨出金部に振り分け、前記第１の種別の硬貨が取り出された後に、前記硬貨保留部に振り分けられた前記第２の種別の前記硬貨を、前記硬貨を計数する処理を占有する操作者側の前記硬貨出金部に送り出す、
請求項９に記載の貨幣処理装置。
【発明の詳細な説明】
【技術分野】
【０００１】
本発明は、少なくとも硬貨の入出金等の処理を行う貨幣処理装置に関する。
【背景技術】
【０００２】
銀行等の金融機関で用いられる貨幣処理装置の一つとして、窓口カウンタにて業務を行う２人のテラーの間に設置され、左右何れのテラーからも使用可能な貨幣処理装置が知られている。このような貨幣処理装置が、たとえば、特許文献１に記載されている。特許文献１に記載の貨幣処理装置は、左右一対の出金ボックスを備えている。左右のテラーは、それぞれ、装置内部の搬送部によって各出金ボックスに搬出された硬貨をこれらの出金ボックスから取り出すことができる。
【先行技術文献】
【特許文献】
【０００３】
【特許文献１】特開２０１２−０２７５５５号公報
【発明の概要】
【発明が解決しようとする課題】
【０００４】
上述の貨幣処理装置では、各テラーによって投入された硬貨を計数する処理が行われる。この場合、たとえば、識別部によって金種が識別された正常な硬貨は、装置内部の一時保留部へと搬送され、その他の異常な硬貨は、処理を行うテラー側の出金ボックスに搬送される。テラーが出金ボックスから異常な硬貨を回収すると、一時保留部から正常な硬貨が出金ボックスに搬送される。その後、テラーは、出金ボックスから正常な硬貨を回収する。
【０００５】
このような処理が行われる場合、テラーは、異常な硬貨を出金ボックスから回収した後、一時保留部から出金ボックスに正常な硬貨が搬送されるのを待って、正常な硬貨を出金ボックスから回収する必要がある。このため、全ての硬貨を回収するのに長時間を要するとの問題が生じる。
【０００６】
かかる課題に鑑み、本発明は、硬貨の計数処理において、計数対象の硬貨と計数対象外の硬貨を迅速かつ円滑に回収することが可能な貨幣処理装置を提供することを目的とする。
【課題を解決するための手段】
【０００７】
本発明の第１の態様は、左右の操作者の間に配置され、各操作者からそれぞれ貨幣の入出金等の処理を行うことが可能な貨幣処理装置に関する。本態様に係る貨幣処理装置は、前記硬貨を投入するための硬貨入金口と、硬貨を取り出し可能な第１および第２の硬貨出金部と、前記硬貨入金口に投入された前記硬貨を搬送するための搬送部と、前記搬送部により搬送される前記硬貨を前記第１の硬貨出金部および前記第２の硬貨出金部に振り分ける振り分け部と、前記硬貨を識別するための識別部と、制御部と、を備える。ここで、前記制御部は、前記硬貨投入口に投入された前記硬貨を計数する処理において、前記識別部により計数対象と識別された第１の種別の前記硬貨を前記第１の硬貨出金部および前記第２の硬貨出金部の一方に振り分け、前記識別部により計数対象外と識別された第２の種別の前記硬貨を前記第１の硬貨出金部および前記第２の硬貨出金部の他方に振り分ける。
【０００８】
本態様に係る貨幣処理装置によれば、計数対象の硬貨が第１の硬貨出金部および第２の硬貨出金部の一方に振り分けられ、計数対象外の硬貨は第１の硬貨出金部および第２の硬貨出金部の他方に振り分けられる。このため、操作者は、計数処理の終了後に、そのまま、各硬貨出金部にアクセスすることで、計数対象の硬貨と計数対象外の硬貨を速やかに且つ円滑に回収できる。
【０００９】
本態様に係る貨幣処理装置において、前記制御部は、前記第１の硬貨出金部および前記第２の硬貨出金部のうち処理を占有するテラー側の硬貨出金部に前記第１の種別の前記硬貨を振り分け、他方の硬貨出金部に前記第２の種別の前記硬貨を振り分けるよう構成され得る。
【００１０】
このように、計数処理においてより多くの硬貨が搬送される硬貨出金部を、処理を占有する操作者側の硬貨出金部に設定することにより、操作者は、硬貨の回収をより簡便に行うことができる。よって、装置の利便性を高めることができる。
【００１１】
前記硬貨を計数する処理が、たとえば、全ての金種について硬貨を計数する単純計数処理である場合、前記第１の種別の硬貨は計数対象として識別された任意の金種の硬貨とされ、前記第２の種別の硬貨は計数対象として識別され得なかった硬貨とされ得る。
【００１２】
こうすると、操作者は、金種が識別された正常な硬貨とそれ以外の硬貨とを、各硬貨出金部から個別に円滑に取り出すことができる。
【００１３】
また、前記硬貨を計数する処理が、指定された金種について硬貨を計数する整理計数処理である場合、前記第１の種別の硬貨は計数対象として識別された指定金種の硬貨とされ、前記第２の種別の硬貨は計数対象として識別され得なかった硬貨とされ得る。
【００１４】
こうすると、操作者は、指定された金種の正常な硬貨と、それ以外の硬貨とを、各硬貨出金部から個別に円滑に取り出すことができる。
【００１５】
また、前記整理計数処理において、前記指定された金種について所定の枚数ずつ硬貨を出金する処理が行われる場合、前記制御部は、前記指定された金種について前記所定の枚数の硬貨が前記一方の硬貨出金部に搬送されると、前記指定された金種の前記硬貨の搬送先を、前記一方の硬貨出金部から前記硬貨入金口へと切り替えるよう構成され得る。
【００１６】
こうすると、操作者は、一方の硬貨出金部から所定の枚数ずつ指定金種の硬貨を回収できる。また、指定金種の硬貨が所定の枚数だけ一方の硬貨出金部に収容された後は、指定金種の硬貨が硬貨入金口へと自動で戻されて再度整理計数の対象に含められるため、一方の硬貨出金部から硬貨が回収された後、整理計数処理を円滑に再開させることができる。
【００１７】
本態様に係る貨幣処理装置において、前記制御部は、前記第１の硬貨出金部および前記第２の硬貨出金部の少なくとも一方において前記硬貨の収容枚数が予め決められた最大収容枚数に到達した場合、前記搬送部による前記硬貨の搬送を停止させるよう構成され得る。
【００１８】
こうすると、過度の枚数の硬貨が硬貨出金部に収容されて硬貨の回収が困難になることを回避できる。
【００１９】
この場合、前記制御部は、前記硬貨の収容枚数が最大収容枚数に到達した前記硬貨出金部を前記操作者に報知する処理を実行することが好ましい。
【００２０】
こうすると、操作者は、硬貨出金部において硬貨の収容枚数が最大収容枚数に到達したことをより確実に知ることができ、当該硬貨出金部から硬貨を回収する作業を円滑かつ適切に進めることができる。
【００２１】
本態様に係る貨幣処理装置において、前記第１の硬貨出金部と前記第２の硬貨出金部は、同等の容量を有するように構成され得る。
【００２２】
こうすると、各硬貨出金部を同等の条件で処理に用いることができる。
【００２３】
本発明の第２の態様は、貨幣の入出金等の処理を行うことが可能な貨幣処理装置に関する。本態様に係る貨幣処理装置は、前記硬貨を投入するための硬貨入金口と、硬貨を取り出し可能な硬貨出金部と、硬貨を一時保留するための硬貨保留部と、前記硬貨入金口に投入された前記硬貨を搬送するための搬送部と、前記搬送部により搬送される前記硬貨を前記硬貨出金部および前記硬貨保留部に振り分ける振り分け部と、前記硬貨を識別するための識別部と、制御部と、を備える。ここで、前記制御部は、前記硬貨投入口に投入された前記硬貨を計数する処理において、前記識別部により計数対象と識別された第１の種別の前記硬貨を前記硬貨出金部に振り分け、前記識別部により計数対象外と識別された第２の種別の前記硬貨を前記硬貨保留部に振り分け、前記第１の種別の硬貨が取り出された後に、前記硬貨保留部に振り分けられた前記第２の種別の前記硬貨を、前記硬貨出金部に送り出す。
【００２４】
硬貨の計数処理においては一般的に、計数対象の硬貨の枚数が多いため、本態様に係る貨幣処理装置によれば、計数対象の硬貨を効率よく計数することができる。よって、計数対象の硬貨と計数対象外の硬貨を迅速かつ円滑に回収することができる。
【００２５】
本態様に係る貨幣処理装置は、左右の操作者の間に配置されて、各操作者からそれぞれ貨幣の入出金等の処理を行うことが可能に構成され得る。この場合、装置本体の左側および右側にそれぞれ前記硬貨出金部が配置され得る。ここで、前記制御部は、前記第１の種別の前記硬貨を、前記左右の硬貨出金部のうち前記硬貨を計数する処理を占有する操作者側の前記硬貨出金部に振り分け、前記第１の種別の硬貨が取り出された後に、前記硬貨保留部に振り分けられた前記第２の種別の前記硬貨を、前記硬貨を計数する処理を占有する操作者側の前記硬貨出金部に送り出すよう構成され得る。
【００２６】
この構成によれば、計数対象の硬貨と計数対象外の硬貨の両方が、処理を占有する操作者側の硬貨出金部に搬送されるため、操作者は、各硬貨を自身に近い硬貨出金部から簡便に取り出すことができる。よって、計数対象の硬貨と計数対象外の硬貨を迅速かつ円滑に回収することができる。
【発明の効果】
【００２７】
以上のとおり、本発明によれば、硬貨の計数処理において、計数対象の硬貨と計数対象外の硬貨を迅速かつ円滑に回収することが可能な貨幣処理装置を提供することができる。
【００２８】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２９】
【図１】図１は、実施形態に係る貨幣入出金機の構成を示す斜視図である。
【図２】図２は、実施形態に係る硬貨入出金ユニットの構成を示す図である。
【図３】図３は、実施形態に係る貨幣入出金機の構成を示すブロック図である。
【図４】図４（ａ）は、実施形態に係る、硬貨の単純計数処理における計数硬貨の搬送経路を模式的に示す図である。図４（ｂ）は、実施形態に係る、硬貨の単純計数処理におけるリジェクト硬貨の搬送経路を模式的に示す図である。
【図５】図５（ａ）〜（ｆ）は、それぞれ、実施形態に係る、硬貨の単純計数処理における画面の遷移を示す図である。
【図６】図６（ａ）〜（ｆ）は、それぞれ、実施形態に係る、硬貨の単純計数処理における画面の遷移を示す図である。
【図７】図７（ａ）、（ｂ）は、それぞれ、実施形態に係る、硬貨の単純計数処理においてリジェクト硬貨用の硬貨出金ボックスがフルになった場合の画面の遷移を示す図である。
【図８】図８は、実施形態に係る、硬貨の単純計数処理における処理を示すフローチャートである。
【図９】図９（ａ）は、実施形態に係る、リジェクト硬貨抜取り処理を示すフローチャートである。図９（ｂ）は、実施形態に係る、計数硬貨抜取り処理を示すフローチャートである。
【図１０】図１０（ａ）は、実施形態に係る、硬貨の単純計数処理において計数硬貨用の硬貨出金ボックスがフルになった場合の処理を示すフローチャートである。図１０（ｂ）は、実施形態に係る、硬貨の単純計数処理においてリジェクト硬貨用の硬貨出金ボックスがフルになった場合の処理を示すフローチャートである。
【図１１】図１１（ａ）は、実施形態に係る、硬貨の整理計数処理における指定金種の硬貨の搬送経路を模式的に示す図である。図１１（ｂ）は、実施形態に係る、硬貨の整理計数処理における指定金種以外の金種の硬貨およびリジェクト硬貨の搬送経路を模式的に示す図である。
【図１２】図１２は、実施形態に係る、硬貨の整理計数処理における硬貨の搬送処理を示すフローチャートである。
【図１３】図１３（ａ）〜（ｆ）は、それぞれ、実施形態に係る、硬貨の整理計数処理における画面の遷移を示す図である。
【図１４】図１４は、実施形態の変更例に係る、２つの硬貨出金ボックスを計数対象の硬貨用の硬貨と計数対象外の硬貨の何れの搬送先として用いるかを設定する処理を示すフローチャートである。
【図１５】図１５（ａ）、（ｂ）は、それぞれ、実施形態に係る、硬貨の回収計数処理における硬貨の搬送経路を模式的に示す図である。
【図１６】図１６は、実施形態に係る、硬貨の回収計数処理における硬貨の搬送先を設定するための処理を示すフローチャートである。
【図１７】図１７（ａ）は、実施形態に係る、硬貨の回収計数処理における処理を示すフローチャートである。図１７（ｂ）は、実施形態に係る、硬貨抜取り処理を示すフローチャートである。
【図１８】図１８（ａ）は、実施形態に係る、１処理ごとの電子ジャーナルログのメイン画面を示す図である。図１８（ｂ）〜（ｇ）は、実施形態に係る、１計数ごとの電子ジャーナルログの詳細画面を示す図である。
【図１９】図１９（ａ）、（ｂ）は、変更例１に係る、計数硬貨およびリジェクト硬貨の搬送経路を模式的に示す図である。
【図２０】図２０は、変更例２に係る、占有ボタン付近の構成を模式的に示す上面図である。
【図２１】図２１（ａ）は、変更例３に係る貨幣入出金機の硬貨入金口付近の構成を示す斜視図である。また、図２１（ｂ）は、図２１（ａ）の構成を左右方向に垂直な平面で切断した断面図である。
【発明を実施するための形態】
【００３０】
以下、本発明の実施形態について図面を参照して説明する。本実施形態では、貨幣を計数する機能と、貨幣を入金および出金する機能とを備えた貨幣入出金機が、貨幣処理装置の一例として示されている。なお、各図には適宜、貨幣入出金機の上下、左右および前後を示す矢印が付されている。
【００３１】
図１は、貨幣入出金機１の構成を示す斜視図である。図２は、貨幣入出金機１に搭載された硬貨入出金ユニット１２を上方から見た構成を模式的に示す図である。
【００３２】
貨幣入出金機１は、銀行等の金融機関における窓口カウンタの内側で窓口業務を行う２人のテラー（操作者）の間に設置される。貨幣入出金機１は、各テラーによって操作される上位端末２に通信ケーブル３を介して接続されている。
【００３３】
貨幣入出金機１は、外郭を構成する外装体１０内に、紙幣入出金ユニット１１と硬貨入出金ユニット１２とを備える。紙幣入出金ユニット１１は、外装体１０内の下側に設けられ、紙幣の入金処理、出金処理等を行う。硬貨入出金ユニット１２は、外装体１０内の上側に設けられ、硬貨の入金処理、出金処理等を行う。
【００３４】
図１に示すように、外装体１０は、左右方向の横幅よりも前後方向の奥行が長く、上下方向の高さが左右方向の横幅よりも高いほぼ直方体形状を有する。外装体１０は、本体１０ａと、本体１０ａの前上部に設けられた外装カバー１０ｂと、本体１０ａの前面に設けられた扉１０ｃとを備える。たとえば、外装カバー１０ｂは樹脂材料で形成され、本体１０ａおよび扉１０ｃは金属材料で形成される。
【００３５】
外装カバー１０ｂには、上面に硬貨入金口１３が形成され、前面に紙幣出金口１４が形成され、上面から前面にかけて湾曲する湾曲面に紙幣入金口１５が形成される。これら硬貨入金口１３、紙幣出金口１４および紙幣入金口１５は、それぞれ、シャッター１３ａ、１４ａ、１５ａにより開閉される。
【００３６】
また、外装カバー１０ｂの下部の左右方向の両端には、それぞれ、硬貨出金ボックス１６ａ、１６ｂが設置されている。これら硬貨出金ボックス１６ａ、１６ｂは、前方へ引き出して取り外すことができる。硬貨出金ボックス１６ａ、１６ｂは、後述するロック機構によって装着位置にロックされる。２つの硬貨出金ボックス１６ａ、１６ｂは、互いに同じ形状（左右対称）で、且つ、同等の容量を有している。これら２つの硬貨出金ボックス１６ａ、１６ｂは、硬貨を取り出すための第１および第２の硬貨出金部を構成する。
【００３７】
外装カバー１０ｂの後部には、操作表示部１７が設けられている。操作表示部１７は、前方斜め上方を向くように外装カバー１０ｂに固定されている。操作表示部１７は、ディスプレイとタッチセンサとからなるタッチパネルで構成される。操作表示部１７は、ディスプレイに各種の画像（画面）を表示するとともに、ディスプレイに対するユーザのタッチ操作をタッチセンサにより検出する。
【００３８】
外装カバー１０ｂの上面における硬貨入金口１３の両側の領域には、４つの占有キー１８が設けられる。４つの占有キー１８は、それぞれ、左側および右側の操作者が貨幣入出金機１の紙幣に係る取引処理の占有を指示するために操作される占有キー１８ａ、１８ｂと、それぞれ、左側および右側のテラーが貨幣入出金機１の硬貨に係る取引処理の占有を指示するために操作される占有キー１８ｃ、１８ｄとからなっている。また、硬貨処理用の占有キー１８ｃ、１８ｄは、後述のように、単純計数処理や整理計数処理等における指示入力にも用いられる。占有キー１８ａ〜１８ｄは、それぞれ、所定の発光色で点灯可能に構成されている。
【００３９】
さらに、外装カバー１０ｂの前面には、硬貨出金ボックス１６ａ、１６ｂの直上位置にそれぞれランプ１９ａ、１９ｂが設けられている。ランプ１９ａ、１９ｂは、たとえば、ＬＥＤにより構成される。また、硬貨出金ボックス１６ａ、１６ｂが装着される領域の下方には、それぞれ、硬貨出金ボックス１６ａ、１６ｂに硬貨が収容されているか否かを検出するための硬貨検出センサ（図１には図示せず）が配置されている。これらの硬貨検出センサは、たとえば、磁気センサや金属センサによって構成される。さらに、硬貨出金ボックス１６ａ、１６ｂの着脱を検出するセンサ（図示せず）が配置されている。
【００４０】
図２に示すように、硬貨入出金ユニット１２は、硬貨受け入れ部１０１と、６つの硬貨収納部１０２と、一括保留部１０３と、を備える。
【００４１】
硬貨受け入れ部１０１は、硬貨入金口１３の下方に配置され、硬貨入金口１３に投入された硬貨を受け入れる。硬貨入金口１３に投入された硬貨は、硬貨受け入れ部１０１に落下する。６つの硬貨収納部１０２は、それぞれ、金種ごとに硬貨を収納する。たとえば、６つの硬貨収納部１０２は、硬貨入出金ユニット１２の前側から順番に、１円硬貨、５円硬貨、１０円硬貨、５０円硬貨、１００円硬貨、５００円硬貨を収納する。一括保留部１０３は、入出金処理や、硬貨収納部１０２に収納された硬貨を回収する処理等において、硬貨を一時的に収納するためのものである。
【００４２】
さらに、硬貨入出金ユニット１２は、硬貨受け入れ部１０１に対応づけられた硬貨繰出機構１０４と、６つの硬貨収納部１０２にそれぞれ対応づけられた硬貨繰出機構１０５と、一括保留部１０３に対応づけられた硬貨繰出機構１０６と、搬送部１０７と、識別部１０８と、を備えている。
【００４３】
硬貨繰出機構１０４は、硬貨受け入れ部１０１に受け入れられた硬貨を、１枚ずつ搬送部１０７に繰り出す。６つの硬貨繰出機構１０５は、それぞれ、対応する硬貨収納部１０２に収納されている硬貨を、１枚ずつ搬送部１０７に繰り出す。硬貨繰出機構１０６は、一括保留部１０３に収納されている硬貨を、１枚ずつ搬送部１０７に繰り出す。
【００４４】
搬送部１０７は、時計回りの方向に循環移動を行う循環ベルト１０７ａを備えている。この循環ベルト１０７ａには、複数の突起部分（図示せず）が等間隔で設けられている。循環ベルト１０７ａに設けられた各突起部分に硬貨が引っかかることにより、循環ベルト１０７ａの循環移動に伴って、硬貨が１枚ずつ搬送される。こうして、上記各繰出機構により繰り出された硬貨が、循環ベルト１０７ａの循環経路に沿って搬送される。
【００４５】
識別部１０８は、硬貨の搬送経路上に設けられ、搬送部１０７によって１枚ずつ搬送される硬貨の金種および真偽等を識別する。識別部１０８における硬貨の識別情報は、後述する制御部２０１に送信される。
【００４６】
さらに、硬貨入出金ユニット１２は、一括保留部１０３に対応づけられた分岐機構１０９と、６つの硬貨収納部１０２にそれぞれ対応づけられた分岐機構１１０と、硬貨入金口１３に対応づけられた分岐機構１１１と、硬貨出金ボックス１６ａに対応付けられた分岐機構１１２と、を備えている。
【００４７】
分岐機構１０９は、搬送部１０７によって搬送される硬貨を選択的に搬送部１０７から分岐させて一括保留部１０３に送る。６つの分岐機構１１０は、それぞれ、搬送部１０７によって搬送される硬貨を選択的に搬送部１０７から分岐させて、対応する硬貨収納部１０２に送る。分岐機構１１１は、搬送部１０７により搬送される硬貨を選択的に搬送部１０７から分岐させて、硬貨を硬貨入金口１３（硬貨受け入れ部１０１）に移送する移送部（図示せず）に送る。分岐機構１１２は、搬送部１０７により搬送される硬貨を選択的に搬送部１０７から分岐させて硬貨出金ボックス１６ａに送る。分岐機構１１２で分岐されなかった硬貨は、全て、搬送部１０７によって硬貨出金ボックス１６ｂに送られる。
【００４８】
図３は、貨幣入出金機１の構成を示すブロック図である。図３には、硬貨入出金ユニット１２に関する主要な構成が示されており、紙幣入出金ユニット１１に関する各部の構成は省略されている。
【００４９】
図３に示すように、貨幣入出金機１は、上述の紙幣入出金ユニット１１、操作表示部１７、占有キー１８、ランプ１９ａ、１９ｂ、シャッター１３ａ、１４ａ、１５ａ、硬貨繰出機構１０４、１０５、１０６、搬送部１０７、識別部１０８および分岐機構１０９、１１０、１１１、１１２の他、制御部２０１、記憶部２０２、通信部２０３、硬貨検出センサ２０４、ロック機構２０５および音声出力部２０６を備えている。
【００５０】
制御部２０１は、ＣＰＵ（Central Processing Unit）等の演算回路を備え、記憶部２０２に記憶された動作プログラムに従って各部を制御する。記憶部２０２は、ＲＯＭ（Read Only Memory）、ＲＡＭ（Random Access Memory）やハードディスク等の記憶媒体を備え、制御部２０１の動作プログラムを記憶し、また、制御部２０１の制御処理の際にワーク領域として利用される。通信部２０３は、上位端末２との間で通信を行う。
【００５１】
硬貨検出センサ２０４は、上記のとおり、硬貨出金ボックス１６ａ、１６ｂが装着される領域の下方に配置され、硬貨出金ボックス１６ａ、１６ｂに硬貨が収容されているか否かを検出する。硬貨検出センサ２０４は、たとえば、磁気センサや金属センサによって構成される。ロック機構２０５は、硬貨出金ボックス１６ａ、１６ｂを装着位置においてロックする。音声出力部２０６は、スピーカを備え、制御部２０１からの制御に従って、所定の音声を出力する。
【００５２】
さて、貨幣入出金機１の左右両側にいる操作者（テラー）は、貨幣入出金機１を使用して入金処理、出金処理、計数処理などの取引処理を行うことができる。計数処理には、貨幣（紙幣、硬貨）の枚数を単純に計数する単純計数処理と、貨幣の枚数を計数するとともに同じ金種の貨幣を所定枚数単位にまとめる整理計数処理とが含まれる。各操作者は、貨幣入出金機１に対して、貨幣入出金機１の処理を占有する操作（占有操作）を行った後に、操作表示部１７上で所定の操作を行って自身の取引処理を実行する。
【００５３】
なお、取引処理が入金処理または出金処理である場合には、占有操作がなされる前あるいはなされた後に、上位端末２において金額等の入力を含む入金操作または出金操作が行われる。入金操作または出金操作に基づいて、上位端末２から貨幣入出金機１へ入金コマンドまたは出金コマンドが送信される。
【００５４】
また、取引処理が計数処理である場合には、占有操作がなされた後に、操作表示部１７上で単純計数処理または整理計数処理の何れを行うかの選択が行われる。この選択は、上位端末２でも行うことができ、この場合は、単純計数コマンドまたは整理計数コマンドが、上位端末２から貨幣入出金機１へ送信される。
【００５５】
なお、２つの上位端末２は、それぞれ、貨幣入出金機１を挟む左右の操作者の配備位置と対応付けられている。すなわち、貨幣入出金機１には、貨幣入出金機１の右側の配備位置に対して一方の上位端末２を対応付け、貨幣入出金機１の左側の配備位置に対して他方の上位端末２を対応付ける設定がなされている。各テラーは、自身の配備位置に対応付けられた上位端末２から上記コマンドを送信するための入力を行う。上記コマンドの送信において、各上位端末２は、自身の識別情報を付してコマンドを送信する。コマンドを受信した貨幣入出金機１は、識別情報をもとに、受信したコマンドが何れの配備位置の処理に供されるものであるかを識別する。
【００５６】
次に、硬貨入出金ユニット１２における硬貨の処理動作について説明する。
【００５７】
＜入出金処理＞
まず、図２を参照して、硬貨の入出処理および出金処理について説明する。
【００５８】
硬貨の入金処理において、操作者は、操作表示部１７等に対して入金のための入力を行った後、硬貨入金口１３から入金対象の硬貨を投入する。投入された硬貨は、硬貨受け入れ部１０１に受け入れられ、硬貨繰出機構１０４によって１枚ずつ搬送部１０７に繰り出される。繰り出された硬貨は、搬送部１０７によって識別部１０８に搬送される。識別部１０８により正常な硬貨と識別された硬貨は、分岐機構１０９によって一括保留部１０３に送られる。識別部１０８により正常な硬貨と識別され得なかった硬貨（リジェクト硬貨）は、２つの硬貨出金ボックス１６ａ、１６ｂのうち操作者側の硬貨出金ボックスに送られる。
【００５９】
操作者は、対応する硬貨出金ボックスからリジェクト硬貨を取り出す。その後、操作者が、操作表示部１７等に対して確定処理を行うと、一括保留部１０３から硬貨が１枚ずつ繰り出されて、再び、識別部１０８に搬送される。識別部１０８において、各硬貨の金種が識別される。その後、硬貨は、分岐機構１１０によって、識別結果に応じた金種の硬貨収納部１０２に送られる。こうして、金種ごとに、硬貨が硬貨収納部１０２に収納される。
【００６０】
硬貨の出金処理において、操作者は、操作表示部１７等に対して、出金のための入力を行う。これに応じて、出金対象の金種に対応する硬貨収納部１０２から搬送部１０７に硬貨が１枚ずつ繰り出される。繰り出された硬貨は、搬送部１０７によって識別部１０８に搬送される。このとき、識別部１０８により正常な硬貨と識別され得なかった硬貨（リジェクト硬貨）は、分岐機構１０９によって一括保留部１０３に送られる。識別部１０８により正常な硬貨と識別された硬貨は、２つの硬貨出金ボックス１６ａ、１６ｂのうち操作者側の硬貨出金ボックスに送られる。操作者は、対応する硬貨出金ボックスから、出金された硬貨を取り出す。こうして、硬貨の出金処理が終了する。
【００６１】
＜単純計数処理＞
図４（ａ）、（ｂ）を参照して、単純計数処理における硬貨の搬送方法について説明する。「単純計数処理」とは、投入された硬貨に対し、全ての金種について金種ごとに計数する処理のことである。以下では、識別部１０８により計数対象として識別された硬貨（第１の種別の硬貨）のことを「計数硬貨」と称し、識別部１０８により計数対象として識別され得なかった硬貨（第２の種別の硬貨）のことを「リジェクト硬貨」と称する。計数硬貨は、識別部によって何れかの金種に対応し、且つ、破損のない正常な硬貨であると判定された硬貨である。また、リジェクト硬貨には、金種が識別され得なかった硬貨と、金種は識別されたが破損が生じている異常な硬貨（損貨）が含まれる。
【００６２】
本実施形態では、左右何れの操作者が処理を占有しているかに拘わらず、右側の硬貨出金ボックス１６ａに計数硬貨が収容され、左側の硬貨出金ボックス１６ｂにリジェクト硬貨が収容される。
【００６３】
図４（ａ）は、計数硬貨の搬送経路を模式的に示す図であり、図４（ｂ）は、リジェクト硬貨の搬送経路を模式的に示す図である。
【００６４】
単純計数処理において、操作者は、操作表示部１７に対して単純計数処理のための入力を行った後、硬貨入金口１３から計数対象の硬貨を投入する。投入された硬貨は、硬貨受け入れ部１０１に受け入れられ、硬貨繰出機構１０４によって１枚ずつ搬送部１０７に繰り出される。繰り出された硬貨は、搬送部１０７によって識別部１０８に搬送される。
【００６５】
識別部１０８により計数硬貨と識別された硬貨は、図４（ａ）に示すように、分岐機構１１２によって、右側の硬貨出金ボックス１６ａに送られる。一方、識別部１０８により計数硬貨と識別され得なかった硬貨、すなわち、リジェクト硬貨は、分岐機構１１２を通過して、左側の硬貨出金ボックス１６ｂに送られる。このとき、各硬貨出金ボックス１６ａ、１６ｂは、ロック機構２０５によってロックされている。計数動作が終了すると、各硬貨出金ボックス１６ａ、１６ｂのロック状態が解除され、操作者は、右側の硬貨出金ボックス１６ａから計数硬貨を回収し、左側の硬貨出金ボックス１６ｂからリジェクト硬貨を回収する。こうして、単純計数処理が終了する。
【００６６】
次に、単純計数処理において操作表示部１７に表示される画面について説明する。
【００６７】
図５（ａ）〜図７（ｂ）は、単純計数処理における画面の遷移を示す図である。以下に示す画面の表示処理は、図３に示した制御部２０１が操作表示部１７を制御することによって行われる。
【００６８】
操作者は、図５（ａ）に示す初期画面Ｄ１１において、枚数計数処理を指定するボタンＢ１１にタッチする。これにより、図５（ｂ）に示す画面Ｄ１２が表示される。画面Ｄ１２には、単純計数処理を選択するためのボタンＢ１２と、整理計数処理を選択するためのボタンＢ１３と、画面を１ステップ前の画面に戻すためのボタンＢ１４と、モード選択を促すためのメッセージＭ１１が含まれている。
【００６９】
単純計数処理を行う場合、操作者は、画面Ｄ１２中のボタンＢ１２にタッチする。これにより、図５（ｃ）に示す画面Ｄ１３が表示される。画面Ｄ１３では、ボタンＢ１２が選択状態にあることが、たとえば、ハイライト表示や反転表示等によって示されている。また、ボタンＢ１３が、グレイアウトされて無効化されている。さらに、単純計数処理を紙幣と硬貨の何れで行うかを選択するためのボタンＢ１５、Ｂ１６が、選択可能に有効化されている。また、紙幣と硬貨の何れかを選択して占有キーを押下することを促すメッセージＭ１２が含まれている。
【００７０】
硬貨の単純計数処理を行う場合、操作者は、画面Ｄ１３中のボタンＢ１６にタッチする。これにより、図５（ｄ）に示す画面Ｄ１４が表示される。画面Ｄ１４では、ボタンＢ１６が選択状態にあることが、たとえば、ハイライト表示や反転表示等によって示されている。その後、操作者は、画面Ｄ１４中のメッセージＭ１２に従って、硬貨処理の占有キー１８ｃ、１８ｄの何れか一方を押下する。なお、図５（ｃ）の画面Ｄ１３においてボタンＢ１６がタッチされたことに基づいて、硬貨処理の占有キー１８ｃ、１８ｄが点滅されてもよい。これにより、操作者は、次に占有キー１８ｃ、１８ｄを押すべきことを、より円滑に把握できる。
【００７１】
こうして操作者が占有キー１８ｃ、１８ｄの何れかを押下すると、図５（ｅ）に示す画面Ｄ１５が表示される。このとき同時に、制御部２０１は、硬貨入金口１３のシャッター１３ａを開放する制御を行う。
【００７２】
画面Ｄ１５には、硬貨の計数結果を金種別に表示するための表示欄Ｃ１１と、紙幣の計数結果を金種別に表示するための表示欄Ｃ１２と、計数の合計値を表示するための表示欄Ｃ１３と、表示を切り替えるためのボタンＢ１５と、単純計数処理を終了させるためのボタンＢ１６とが含まれている。表示欄Ｃ１１には、硬貨出金ボックス１６ａに送り出された計数硬貨の計数値が累計金額によって表示される。操作者がボタンＢ１５にタッチすると、表示欄Ｃ１１に表示される各金種の計数値が、金額表示から枚数表示に切り替えられる。
【００７３】
この状態において、操作者は、シャッター１３ａが開放された状態の硬貨入金口１３に計数対象の全ての硬貨を投入する。その後、操作者は、硬貨処理の占有キー１８ｃ、１８ｄの何れか一方を押下する。これにより、シャッター１３ａが閉じられて、硬貨の計数が開始される。これに応じて、画面が、図５（ｆ）の画面Ｄ１６に切り替わる。画面Ｄ１６では、図５（ｅ）の画面Ｄ１５に比べてボタンＢ１６が省略されている。また、画面Ｄ１６には、処理が進行中であることを報知するためのメッセージＭ１３が含まれている。なお、図５（ｆ）には、ある程度硬貨の計数が進んだ状態の画面Ｄ１６が示されている。
【００７４】
なお、硬貨入金口１３に硬貨が投入されたことに基づいて、硬貨処理の占有キー１８ｃ、１８ｄが点滅されてもよい。これにより、操作者は、次に占有キー１８ｃ、１８ｄを押すべきことを、より円滑に把握できる。
【００７５】
こうして、投入された硬貨の計数が開始されると、図４（ａ）を参照して説明したとおり、計数処理が進むに伴い、右側の硬貨出金ボックス１６ａに計数硬貨が溜まっていき、左側の硬貨出金ボックス１６ａにはリジェクト硬貨が溜まっていく。このとき、硬貨出金ボックス１６ａ、１６ｂに過度の枚数の硬貨が送り込まれると、たとえば、硬貨出金ボックス１６ａ、１６ｂを貨幣入出金機１から抜き取ることが困難となり、これら硬貨出金ボックスに対する硬貨の抜き取りを円滑に進められなくなってしまう。
【００７６】
そこで、本実施形態では、硬貨出金ボックス１６ａ、１６ｂに送り込まれた硬貨の枚数が、予め決められた最大収容枚数に到達した場合に、制御部２０１によって、搬送部１０７による硬貨の搬送を停止させて、硬貨出金ボックス１６ａ、１６ｂにさらに硬貨を送り込むことを防ぐための制御が行われる。ここで、最大収容枚数は、５００円硬貨の場合、たとえば、５０枚に設定される。最大収容枚数は、金種ごとに設定されればよい。
【００７７】
硬貨の計数処理が実行されている間に、たとえば、硬貨出金ボックス１６ａに送り込まれた計数硬貨の枚数が最大収容枚数に到達すると、図６（ａ）に示す画面Ｄ１７が表示される。画面Ｄ１７には、硬貨出金ボックス１６ａに収納された計数硬貨を抜き取ることを促すメッセージＭ１４が含まれている。このとき同時に、制御部２０１は、硬貨出金ボックス１６ａのロック機構２０５を解除するとともに、その上方に配置されたランプ１９ａを点滅させる。これにより、操作者は、より円滑に、硬貨出金ボックス１６ａに対する計数硬貨の抜き取りを進めることができる。こうして、操作者により、硬貨出金ボックス１６ａから計数硬貨が抜き取られて、硬貨出金ボックス１６ａが再セットされると、制御部２０１は、搬送部１０７による硬貨の搬送を再開させる。これにより、硬貨の計数処理が再開される。
【００７８】
また、硬貨の計数処理が実行されている間に、たとえば、硬貨出金ボックス１６ｂに送り込まれたリジェクト硬貨の枚数が最大収容枚数に到達すると、図７（ａ）に示す画面Ｄ２２が表示される。画面Ｄ２２には、硬貨出金ボックス１６ｂに収納されたリジェクト硬貨を抜き取ること、および、硬貨処理を占有するための占有キー１８ｃ、１８ｄを押下することを促すメッセージＭ１９が含まれている。画面Ｄ２２の表示とともに、制御部２０１は、占有キー１８ｃ、１８ｄを点滅させる制御を行う。
【００７９】
メッセージＭ１９に従って、操作者が、占有キー１８ｃ、１８ｄの何れか一方を押下すると、図７（ｂ）に示す画面Ｄ２３が表示される。画面Ｄ２３には、硬貨出金ボックス１６ｂに収容されているリジェクト硬貨を抜き取ることを促すメッセージＭ２０が含まれている。画面Ｄ２３の表示と同時に、制御部２０１は、硬貨出金ボックス１６ｂのロック機構２０５を解除するとともに、その上方に配置されたランプ１９ｂを点滅させる。これにより、操作者は、より円滑に、硬貨出金ボックス１６ｂに対するリジェクト硬貨の抜き取りを進めることができる。こうして、操作者により、硬貨出金ボックス１６ｂからリジェクト硬貨が抜き取られて、硬貨出金ボックス１６ｂが再セットされると、制御部２０１は、搬送部１０７による硬貨の搬送を再開させる。これにより、硬貨の計数処理が再開される。
【００８０】
なお、上記のように、リジェクト硬貨を硬貨出金ボックス１６ｂから抜き取る場合には、計数硬貨を硬貨出金ボックス１６ｂから抜き取る場合と異なり、硬貨の抜き取りを行う前に、占有キー１８ｃ、１８ｄを押下する作業が操作者に要求される。操作者は、このような作業を行うことにより、硬貨出金ボックス１６ｂから抜き取る硬貨が、計数硬貨ではなくリジェクト硬貨であることを、より明確に認識することができる。
【００８１】
こうして、投入された全ての硬貨の繰り出しおよび搬送が終了すると、図６（ｂ）に示す画面Ｄ１８または図６（ｄ）に示す画面Ｄ２０が表示される。すなわち、全ての硬貨の繰り出しおよび搬送が終了した際に、硬貨出金ボックス１６ｂにリジェクト硬貨が収納されている場合は図６（ｂ）の画面Ｄ１８が表示され、硬貨出金ボックス１６ｂにリジェクト硬貨が収納されていない場合は図６（ｄ）の画面Ｄ２０が表示される。なお、全ての硬貨の繰り出しおよび搬送が終了するまでに硬貨出金ボックス１６ａ、１６ｂの何れもフルにならなかった場合は、図６（ａ）および図７（ａ）、（ｂ）の画面を経ることなく、図６（ｂ）の画面Ｄ１８または図６（ｄ）の画面Ｄ２０が表示される。
【００８２】
図６（ｂ）の画面Ｄ１８には、硬貨出金ボックス１６ｂに収納されたリジェクト硬貨を抜き取ること、および、硬貨処理を占有するための占有キー１８ｃ、１８ｄを押下することを促すメッセージＭ１５が含まれている。画面Ｄ１８の表示とともに、制御部２０１は、占有キー１８ｃ、１８ｄを点滅させる制御を行う。操作者は、メッセージＭ１５に従って、占有キー１８ｃ、１８ｄの何れか一方を押下する。この作業により、操作者は、硬貨出金ボックス１６ｂから抜き取る硬貨がリジェクト硬貨であることを、より明確に認識することができる。
【００８３】
こうして、操作者が、占有キー１８ｃ、１８ｄの何れかを押下すると、図６（ｃ）に示す画面Ｄ１９が表示される。画面Ｄ１９には、硬貨出金ボックス１６ｂに収容されているリジェクト硬貨を抜き取ることを促すメッセージＭ１６が含まれている。画面Ｄ１９の表示と同時に、制御部２０１は、硬貨出金ボックス１６ｂのロック機構２０５を解除するとともに、その上方に配置されたランプ１９ｂを点滅させる。これにより、操作者は、より円滑に、硬貨出金ボックス１６ｂに対するリジェクト硬貨の抜き取りを進めることができる。
【００８４】
操作者が、硬貨出金ボックス１６ｂからリジェクト硬貨を抜き取ると、図６（ｄ）の画面Ｄ２０が表示される。画面Ｄ２０には、計数処理を終了させるためのボタンＢ１６と、金額の確認および終了ボタンの押下を促すメッセージＭ１７が含まれている。画面Ｄ２０の表示とともに、制御部２０１は、占有キー１８ｃ、１８ｄを点滅させる制御を行う。計数処理を終了させる場合、操作者は、ボタンＢ１６にタッチする。他方、硬貨出金ボックス１６ｂから抜き取ったリジェクト硬貨を再度、計数処理に供する場合、操作者は、占有キー１８ｃ、１８ｄの何れかを押下する。
【００８５】
占有キー１８ｃ、１８ｄが押下された場合、図５（ｅ）の画面Ｄ１５が表示され、シャッター１３ａが開放される。このとき、画面Ｄ１５には、それまでに計数された各金種の計数値が表示欄Ｃ１１に表示される。操作者が、リジェクト硬貨を硬貨入金口１３に投入した後、占有キー１８ｃ、１８ｄを押下すると、投入されたリジェクト硬貨に対する計数処理が実行され、随時、表示欄Ｃ１１の計数値が更新される。その後、図５（ｆ）以降の画面に応じた処理が再度実行される。
【００８６】
図６（ｄ）の画面Ｄ２０において、操作者がボタンＢ１６にタッチすると、図６（ｅ）に示す画面Ｄ２１または図６（ｆ）に示す初期画面Ｄ１１が表示される。すなわち、硬貨出金ボックス１６ａに計数硬貨が収納されている場合は、図６（ｅ）の画面Ｄ２１が表示され、硬貨出金ボックス１６ａに計数硬貨が収納されていない場合は、図６（ｆ）の初期画面Ｄ１１が表示される。画面Ｄ２１の表示に伴い、制御部２０１は、計数硬貨を収納する硬貨出金ボックス１６ａのロック機構２０５を解除するとともに、その上方に配置されたランプ１９ａを点滅させる。
【００８７】
画面Ｄ２１には、硬貨出金ボックス１６ａに収納されている計数硬貨を抜き取ることを促すメッセージＭ１８が含まれている。メッセージＭ１８に従い、操作者が、硬貨出金ボックス１６ａに収納されている計数硬貨を抜き取って、硬貨出金ボックス１６ａを再セットすると、図６（ｆ）に示す初期画面Ｄ１１が表示される。これにより、単純計数処理が終了する。
【００８８】
次に、単純計数処理における制御について、図８〜図１０（ｂ）を参照して説明する。
【００８９】
図８は、硬貨の単純計数処理におけるメイン処理を示すフローチャートである。
【００９０】
図５（ｅ）の画面Ｄ１５が表示された後、操作者が硬貨入金口１３に硬貨を投入して占有キー１８ｃ、１８ｄの何れかを押下すると、制御部２０１は、硬貨受け入れ部１０１に受け入れられた硬貨を１枚ずつ搬送部１０７に繰り出して（Ｓ１０１）、計数硬貨の計数を開始する（Ｓ１０２）。
【００９１】
具体的には、制御部２０１は、搬送部１０７によって搬送された硬貨が計数硬貨であるかリジェクト硬貨であるかを識別部１０８の識別結果に基づき識別する。そして、制御部２０１は、当該硬貨が計数硬貨である場合に、当該硬貨を硬貨出金ボックス１６ａに搬送して、当該硬貨に対する計数結果を更新する（Ｓ１０３）。これにより、図５（ｆ）に示した画面Ｄ１６の表示欄Ｃ１１が更新される。他方、当該硬貨がリジェクト硬貨である場合、制御部２０１は、計数値を更新することなく、当該硬貨を硬貨出金ボックス１６ｂに搬送する。
【００９２】
制御部２０１は、硬貨受け入れ部１０１に受け入れられた全ての硬貨が繰り出されるまで（Ｓ１０４）、ステップＳ１０１〜Ｓ１０３の処理を継続する。そして、全ての硬貨が繰り出されると（Ｓ１０４：ＹＥＳ）、制御部２０１は、硬貨出金ボックス１６ｂにリジェクト硬貨が収納されている否かを判定する（Ｓ１０５）。硬貨出金ボックス１６ｂにリジェクト硬貨が収納されていない場合（Ｓ１０５：ＮＯ）、制御部２０１は、処理をステップＳ１０８に進めて、図６（ｄ）に示した画面Ｄ２０を表示させる。他方、硬貨出金ボックス１６ｂにリジェクト硬貨が収納されている場合（Ｓ１０５：ＹＥＳ）、制御部２０１は、処理をステップＳ１０６に進めて、リジェクト硬貨抜取り処理を実行する。
【００９３】
図９（ａ）は、リジェクト硬貨抜取り処理を示すフローチャートである。便宜上、図９（ａ）では、リジェクト硬貨を収容するための硬貨出金ボックス１６ｂがリジェクトボックスと記載されている。
【００９４】
制御部２０１は、リジェクト硬貨抜取りフラグを０に設定するとともに、硬貨処理占有のための占有キー１８ｃ、１８ｄを点滅させる（Ｓ２０１）。このとき、制御部２０１は、図６（ｂ）に示した画面Ｄ１８を表示させる。操作者により占有キー１８ｃ、１８ｄの何れかが押下されると（Ｓ２０２：ＹＥＳ）、制御部２０１は、占有キー１８ｃ、１８ｄを消灯させ（Ｓ２０３）、リジェクト硬貨を収納する硬貨出金ボックス１６ｂのランプ１９ｂを点滅させる（Ｓ２０４）。
【００９５】
このとき同時に、制御部２０１は、硬貨出金ボックス１６ｂに対するロックを解除する。さらに、制御部２０１は、図６（ｃ）に示した画面Ｄ１９を表示させる。この画面Ｄ１９には、リジェクト硬貨の抜取りを促すメッセージＭ１６が含まれている。これとともに、制御部２０１は、硬貨出金ボックス１６ｂにリジェクト硬貨が収納されていることを操作者に報知するための音声を、音声出力部２０６に出力させてもよい。
【００９６】
その後、硬貨出金ボックス１６ｂが着脱されたことを検出すると（Ｓ２０５：ＹＥＳ）、制御部２０１は、装着された硬貨出金ボックス１６ｂにリジェクト硬貨が残存しているか否かを、硬貨検出センサ２０４からの出力により判定する（Ｓ２０６）。リジェクト硬貨が残存している場合（Ｓ２０６：ＹＥＳ）、制御部２０１は、処理をＳ２０５に戻して、リジェクト硬貨の抜取りを待つ。他方、リジェクト硬貨が残存していない場合（Ｓ２０６：ＮＯ）、制御部２０１は、ランプ１９ｂを消灯し（Ｓ２０７）、リジェクト硬貨抜取りフラグを１に設定する（Ｓ２０８）。これにより、リジェクト硬貨抜取り処理が終了する。
【００９７】
図８に戻り、制御部２０１は、リジェクト硬貨の抜取りが完了したか否かを判定する（Ｓ１０７）。具体的には、制御部２０１は、リジェクト硬貨抜取りフラグが１に設定されたか否かを判定する。リジェクト硬貨の抜取りが完了すると（Ｓ１０７：ＹＥＳ）、制御部２０１は、図６（ｄ）に示した画面Ｄ２０を表示させる。
【００９８】
この画面Ｄ２０に対して終了指示が入力されない場合、すなわち、操作者が、硬貨処理占有のための占有キー１８ｃ、１８ｄの何れかを押下すると（Ｓ１０９：ＮＯ）、制御部２０１は、処理をＳ１０１に戻して、硬貨の単純計数処理を継続する。他方、画面Ｄ２０に対して終了指示が入力された場合、すなわち、画面Ｄ２０中のボタンＢ１６がタッチされた場合（Ｓ１０９：ＹＥＳ）、制御部２０１は、硬貨出金ボックス１６ａに計数硬貨が収納されているか否かを判定する（Ｓ１１０）。
【００９９】
硬貨出金ボックス１６ａに計数硬貨が収納されていない場合（Ｓ１１０：ＮＯ）、制御部２０１は、画面を、図５（ａ）に示した初期画面Ｄ１１に戻して単純計数処理を終了する。他方、硬貨出金ボックス１６ａに計数硬貨が収納されている場合（Ｓ１１０：ＹＥＳ）、制御部２０１は、計数硬貨抜取り処理を実行する（Ｓ１１１）。
【０１００】
図９（ｂ）、計数硬貨抜取り処理を示すフローチャートである。便宜上、図９（ｂ）では、計数硬貨を収容するための硬貨出金ボックス１６ａが出金ボックスと記載されている。
【０１０１】
制御部２０１は、計数硬貨抜取りフラグを０に設定するとともに、計数硬貨を収納する硬貨出金ボックス１６ａのランプ１９ａを点滅させる（Ｓ３０１）。このとき同時に、制御部２０１は、硬貨出金ボックス１６ａに対するロックを解除する。また、制御部２０１は、図６（ｅ）に示した画面Ｄ２１を表示させる。この画面Ｄ２１には、計数硬貨の抜取りを促すメッセージＭ１８が含まれている。これとともに、制御部２０１は、硬貨出金ボックス１６ａに計数硬貨が収納されていることを操作者に報知するための音声を、音声出力部２０６に出力させてもよい。
【０１０２】
その後、硬貨出金ボックス１６ａが着脱されたことを検出すると（Ｓ３０２：ＹＥＳ）、制御部２０１は、装着された硬貨出金ボックス１６ａに計数硬貨が残存しているか否かを、硬貨検出センサ２０４からの出力により判定する（Ｓ３０３）。ここで、計数硬貨が残存している場合（Ｓ３０３：ＹＥＳ）、制御部２０１は、処理をＳ３０２に戻して、計数硬貨の抜取りを待つ。他方、計数硬貨が残存していない場合（Ｓ３０３：ＮＯ）、制御部２０１は、ランプ１９ａを消灯し（Ｓ３０４）、計数硬貨抜取りフラグを１に設定する（Ｓ３０５）。これにより、計数硬貨抜取り処理が終了する。
【０１０３】
図８に戻り、制御部２０１は、計数硬貨の抜取りが完了したか否かを判定する（Ｓ１１２）。具体的には、制御部２０１は、計数硬貨抜取りフラグが１に設定されたか否かを判定する。計数硬貨の抜取りが完了すると（Ｓ１１２：ＹＥＳ）、制御部２０１は、図５（ａ）に示した初期画面Ｄ１１を表示させて、処理を終了する。こうして、単純計数処理が終了する。
【０１０４】
図１０（ａ）は、硬貨の単純計数処理の実行中に計数硬貨用の硬貨出金ボックス１６ａがフルになった場合の処理を示すフローチャートである。便宜上、図１０（ａ）では、計数硬貨を収容するための硬貨出金ボックス１６ａが出金ボックスと記載されている。制御部２０１は、図１０（ａ）の処理を、図８に示した処理と並行して実行する。
【０１０５】
硬貨出金ボックス１６ａに収容された計数硬貨の枚数が予め決められた最大収容枚数に到達すると（Ｓ４０１：ＹＥＳ）、制御部２０１は、硬貨受け入れ部１０１に対する硬貨の繰り出しおよび硬貨の搬送を中断し（Ｓ４０２）、硬貨出金ボックス１６ａのランプ１９ａを点滅させる（Ｓ４０３）。このとき同時に、制御部２０１は、硬貨出金ボックス１６ａに対するロックを解除する。また、制御部２０１は、図６（ａ）に示した画面Ｄ１７を表示させる。この画面Ｄ１７には、計数硬貨の抜取りを促すメッセージＭ１４が含まれている。これとともに、制御部２０１は、硬貨出金ボックス１６ａに計数硬貨が収納されていることを操作者に報知するための音声を、音声出力部２０６に出力させてもよい。
【０１０６】
その後、硬貨出金ボックス１６ａが着脱されたことを検出すると（Ｓ４０４：ＹＥＳ）、制御部２０１は、装着された硬貨出金ボックス１６ａに計数硬貨が残存しているか否かを、硬貨検出センサ２０４からの出力により判定する（Ｓ４０５）。ここで、計数硬貨が残存している場合（Ｓ４０５：ＹＥＳ）、制御部２０１は、処理をＳ４０４に戻して、計数硬貨の抜取りを待つ。他方、計数硬貨が残存していない場合（Ｓ４０５：ＮＯ）、制御部２０１は、ランプ１９ａを消灯し（Ｓ４０６）、硬貨出金ボックス１６ａの収容枚数をゼロにリセットする（Ｓ４０７）。また、制御部２０１は、硬貨受け入れ部１０１に対する硬貨の繰り出しおよび硬貨の搬送を再開させる（Ｓ４０８）。その後、制御部２０１は、処理をステップＳ４０１に戻して、硬貨出金ボックス１６ａの収容枚数が最大収容枚数に到達したか否かを監視する。
【０１０７】
図１０（ｂ）は、硬貨の単純計数処理の実行中に、リジェクト硬貨用の硬貨出金ボックス１６ｂがフルになった場合の処理を示すフローチャートである。便宜上、図１０（ｂ）では、リジェクト硬貨を収容するための硬貨出金ボックス１６ｂがリジェクトボックスと記載されている。制御部２０１は、図１０（ｂ）の処理を、図８に示した処理と並行して実行する。
【０１０８】
硬貨出金ボックス１６ｂに収容されたリジェクト硬貨の枚数が予め決められた最大収容枚数に到達すると（Ｓ５０１：ＹＥＳ）、制御部２０１は、硬貨受け入れ部１０１に対する硬貨の繰り出しおよび硬貨の搬送を中断し（Ｓ５０２）、硬貨処理占有用の占有キー１８ｃ、１８ｄを点滅させる（Ｓ５０３）。さらに、制御部２０１は、図７（ａ）に示した画面Ｄ２２を表示させる。操作者により占有キー１８ｃ、１８ｄの何れかが押下されると（Ｓ５０４：ＹＥＳ）、制御部２０１は、占有キー１８ｃ、１８ｄを消灯させ（Ｓ５０５）、リジェクト硬貨を収納する硬貨出金ボックス１６ｂのランプ１９ｂを点滅させる（Ｓ５０６）。
【０１０９】
このとき同時に、制御部２０１は、硬貨出金ボックス１６ｂに対するロックを解除する。さらに、制御部２０１は、図７（ｂ）に示した画面Ｄ２３を表示させる。この画面Ｄ２３には、リジェクト硬貨の抜取りを促すメッセージＭ２０が含まれている。これとともに、制御部２０１は、硬貨出金ボックス１６ｂにリジェクト硬貨が収納されていることを操作者に報知するための音声を、音声出力部２０６に出力させてもよい。
【０１１０】
その後、硬貨出金ボックス１６ｂが着脱されたことを検出すると（Ｓ５０７：ＹＥＳ）、制御部２０１は、装着された硬貨出金ボックス１６ｂにリジェクト硬貨が残存しているか否かを、硬貨検出センサ２０４からの出力により判定する（Ｓ５０８）。リジェクト硬貨が残存している場合（Ｓ５０８：ＹＥＳ）、制御部２０１は、処理をＳ５０７に戻して、リジェクト硬貨の抜取りを待つ。他方、リジェクト硬貨が残存していない場合（Ｓ５０７：ＮＯ）、制御部２０１は、ランプ１９ｂを消灯し（Ｓ５０９）、硬貨出金ボックス１６ｂの収容枚数をゼロにリセットする（Ｓ５１０）。また、制御部２０１は、硬貨受け入れ部１０１に対する硬貨の繰り出しおよび硬貨の搬送を再開させる（Ｓ５１１）。その後、制御部２０１は、処理をステップＳ５０１に戻して、硬貨出金ボックス１６ｂの収容枚数が最大収容枚数に到達したか否かを監視する。
【０１１１】
＜整理計数処理＞
図１１を参照して、整理計数処理における硬貨の搬送方法について説明する。「整理計数処理」とは、投入された硬貨に対し、指定された金種について所定枚数ずつ計数を行う処理のことである。以下では、識別部１０８により計数対象として識別された指定金種の硬貨（第１の種別の硬貨）のことを「計数硬貨」と称し、識別部１０８により計数対象として識別され得なかった硬貨（第２の種別の硬貨）のことを「リジェクト硬貨」と称する。計数硬貨は、識別部１０８によって指定金種に対応し、且つ、破損のない正常な硬貨であると判定された硬貨である。また、リジェクト硬貨には、指定金種以外の金種の硬貨と、金種が識別され得なかった硬貨と、指定金種として識別されたが破損が生じている異常な硬貨（損貨）とが含まれる。
【０１１２】
本実施形態では、左右何れの操作者が処理を占有しているかに拘わらず、右側の硬貨出金ボックス１６ａに計数硬貨が収容され、左側の硬貨出金ボックス１６ｂにリジェクト硬貨が収容される。
【０１１３】
図１１（ａ）は、計数硬貨の搬送経路を模式的に示す図であり、図１１（ｂ）は、リジェクト硬貨の搬送経路を模式的に示す図である。
【０１１４】
図１１（ｂ）に示すように、リジェクト硬貨の搬送経路は、図４（ｂ）の場合と同様である。すなわち、整理計数処理では、識別部１０８においてリジェクト硬貨と判別される硬貨の種類が、上記のように、単純計数処理と異なるものの、判別されたリジェクト硬貨は、上記単純計数処理の場合と同様、左側の硬貨出金ボックス１６ｂへと搬送される。
【０１１５】
図１１（ａ）に示すように、計数硬貨の搬送経路は、硬貨出金ボックス１６ａと硬貨受け入れ部１０１との間で切り替えられる。すなわち、整理計数処理においては、指定金種（１金種）の硬貨（計数硬貨）が所定枚数（以下、「バッチ枚数」という）ずつ計数される。ここで、硬貨出金ボックス１６ａに収容された硬貨の枚数がバッチ枚数に到達するまでの間は、計数硬貨が硬貨出金ボックス１６ａに搬送され、硬貨出金ボックス１６ａに収容された硬貨の枚数がバッチ枚数に到達すると、硬貨の繰り出しが中止されて、搬送部１０７に残っている計数硬貨が、分岐機構１１１によって、硬貨受け入れ部１０１に戻される。そして、操作者が、硬貨出金ボックス１６ａから計数硬貨を回収した後、硬貨出金ボックス１６ａを再装着すると、硬貨の繰り出しが再開されて、計数硬貨の搬送および計数が再開される。これにより、計数硬貨が再装着された硬貨出金ボックス１６ａに搬出される。以下、硬貨受け入れ部１０１に受け入れられた全ての硬貨に対する処理が終了するまで、同様の処理が実行される。
【０１１６】
図１２は、整理計数処理における硬貨の搬送処理を示すフローチャートである。便宜上、図１２では、計数硬貨を収容するための硬貨出金ボックス１６ａが出金ボックスと記載され、リジェクト硬貨を収容するための硬貨出金ボックス１６ｂがリジェクトボックスと記載されている。
【０１１７】
識別部１０８によって識別された硬貨が計数硬貨である場合（Ｓ６０１：ＹＥＳ）、制御部２０１は、硬貨出金ボックス１６ａに収容されている計数硬貨の枚数がバッチ枚数に到達しているか否かを判定する（Ｓ６０２）。ここで、硬貨出金ボックス１６ａに収容されている計数硬貨の枚数がバッチ枚数に到達していない場合（Ｓ６０２：ＮＯ）、制御部２０１は、当該硬貨を硬貨出金ボックス１６ａに搬送し（Ｓ６０３）、硬貨出金ボックス１６ａに収容されている計数硬貨の枚数がバッチ枚数に到達している場合（Ｓ６０２：ＹＥＳ）、制御部２０１は、当該硬貨を硬貨入金口１３に搬送する（Ｓ６０４）。硬貨出金ボックス１６ａから計数硬貨が抜き取られると、硬貨出金ボックス１６ａに収容されている計数硬貨の枚数がゼロにリセットされる。
【０１１８】
識別部１０８によって識別された硬貨がリジェクト硬貨である場合（Ｓ６０１：ＮＯ）、制御部２０１は、当該硬貨を硬貨出金ボックス１６ｂへと搬送する（Ｓ６０５）。制御部２０１は、以上の処理を、投入された全ての硬貨の繰り出しが終了するまで実行する（Ｓ６０６）。
【０１１９】
図１３（ａ）〜（ｆ）は、それぞれ、硬貨の整理計数処理における画面の遷移を示す図である。図１３（ａ）〜（ｆ）には、硬貨の計数が開始された後の画面が示されている。硬貨の計数が開始されるまでの画面の遷移は、図５（ａ）〜（ｆ）と同様である。但し、整理計数処理では、図５（ｃ）の画面において整理計数を指定するボタンが操作者によりタッチされ、図５（ｄ）の画面において、整理計数のボタンに対応づけられた硬貨のボタンが操作者によりタッチされる。計数対象の金種およびバッチ枚数は、上位端末２を介して指定される。
【０１２０】
硬貨出金ボックス１６ａに収容された硬貨の枚数がバッチ枚数（ここでは５０枚）に到達すると、図１３（ａ）に示す画面Ｄ３１が表示される。画面Ｄ３１には、硬貨の計数結果を金種別に表示するための表示欄Ｃ２１と、紙幣の計数結果を金種別に表示するための表示欄Ｃ２２と、計数の合計値を表示するための表示欄Ｃ２３と、表示を切り替えるためのボタンＢ２１と、計数硬貨の抜取りを促すメッセージＭ２１と、が含まれている。
【０１２１】
このとき同時に、制御部２０１は、硬貨出金ボックス１６ａのロック機構２０５を解除するとともに、その上方に配置されたランプ１９ａを点滅させる。また、制御部２０１は、搬送部１０７に対する硬貨の繰り出しを中止し、搬送部１０７に残っている計数硬貨を硬貨入金口１３に戻して、搬送部１０７を停止させる。操作者が、硬貨出金ボックス１６ａから計数硬貨を抜き取った後、硬貨出金ボックス１６ａを再セットすると、制御部２０１は、搬送部１０７による硬貨の搬送を再開させる。これにより、硬貨の計数処理が再開される。
【０１２２】
整理計数処理の実行中に硬貨出金ボックス１６ｂに収容されたリジェクト硬貨の枚数が最大収容枚数に到達すると、搬送部１０７が停止され、図７（ａ）と同様の画面が表示される。この場合、操作者は、図７（ａ）の画面Ｄ２２に応じた操作、すなわち、占有キー１８ｃ、１８ｄの何れかを押下する操作を行う。これにより、図７（ｂ）と同様の画面が表示される。このとき同時に、硬貨出金ボックス１６ｂのロック機構２０５が解除されるとともに、その上方に配置されたランプ１９ｂが点滅する。操作者は、硬貨出金ボックス１６ｂからリジェクト硬貨を抜き取った後、硬貨出金ボックス１６ｂを再セットする。これにより、搬送部１０７による硬貨の搬送が再開される。
【０１２３】
投入された全ての硬貨に対する処理が終了すると、図１３（ｂ）の画面Ｄ３２または図１３（ｄ）の画面Ｄ３４が表示される。すなわち、全ての硬貨の処理が終了した際に、硬貨出金ボックス１６ｂにリジェクト硬貨が収容されていれば、図１３（ｂ）の画面Ｄ３２が表示され、硬貨出金ボックス１６ｂにリジェクト硬貨が収容されていなければ、図１３（ｄ）の画面Ｄ３４が表示される。
【０１２４】
画面Ｄ３２には、硬貨出金ボックス１６ｂに収納されたリジェクト硬貨を抜き取ること、および、硬貨処理を占有するための占有キー１８ｃ、１８ｄを押下することを促すメッセージＭ２２が含まれている。操作者が占有キー１８ｃ、１８ｄの何れかを押下すると、図１３（ｃ）の画面Ｄ３３が表示される。画面Ｄ３３には、リジェクト硬貨の抜取りを促すメッセージＭ２３が含まれている。このとき同時に、制御部２０１は、硬貨出金ボックス１６ｂのロック機構２０５を解除するとともに、その上方に配置されたランプ１９ｂを点滅させる。操作者が、硬貨出金ボックス１６ｂからリジェクト硬貨を抜き取ると、図１３（ｄ）の画面Ｄ３４が表示される。
【０１２５】
画面Ｄ３４には、計数処理を終了させるボタンＢ２２と、金額の確認を促すメッセージＭ２４とが含まれている。画面Ｄ３４は、図６（ｄ）に示した画面Ｄ２０と同様である。操作者は、画面Ｄ２０の場合と同様の操作を行い得る。操作者が、画面Ｄ３４において、ボタンＢ２２にタッチすると、図１３（ｅ）の画面Ｄ３５または図５（ａ）に示した初期画面Ｄ１１が表示される。すなわち、硬貨出金ボックス１６ａにバッチ枚数に満たない端数の計数硬貨が収容されている場合、図１３（ｅ）の画面Ｄ３５が表示され、硬貨出金ボックス１６ａに端数の計数硬貨が収容されていない場合、図５（ａ）に示した初期画面Ｄ１１が表示される。
【０１２６】
画面Ｄ３５には、硬貨出金ボックス１６ａに収納された計数硬貨がバッチ枚数に到達していないこと、および、硬貨処理を占有するための占有キー１８ｃ、１８ｄを押下することを促すメッセージＭ２５が含まれている。このメッセージＭ２５が表示されることにより、硬貨出金ボックス１６ａに収納された計数硬貨がバッチ枚数に到達していないことを明確に把握できる。また、計数硬貨の取り出しに占有キー１８ｃ、１８ｄの押下を要求することにより、操作者は、これから回収する計数硬貨の枚数がバッチ枚数に到達していないことをより確実に把握できる。
【０１２７】
操作者が占有キー１８ｃ、１８ｄの何れかを押下すると、図１３（ｆ）の画面Ｄ３６が表示される。画面Ｄ３６には、計数硬貨の抜取りを促すメッセージＭ２６が含まれている。このとき同時に、制御部２０１は、硬貨出金ボックス１６ａのロック機構２０５を解除するとともに、その上方に配置されたランプ１９ａを点滅させる。操作者が、硬貨出金ボックス１６ａから端数の計数硬貨を抜き取ると、整理計数処理が終了し、図５（ａ）の初期画面Ｄ１１が表示される。
【０１２８】
なお、整理計数処理においては、図８〜図１０（ｂ）と同様の処理が、制御部２０１により実行される。但し、整理計数処理においては、計数硬貨が指定金種の正常な硬貨に置き換えられ、リジェクト硬貨が計数硬貨以外の硬貨に置き換えられる。また、図９（ｂ）のステップＳ３０１の前に、図９（ａ）のステップＳ２０１〜Ｓ２０３の処理が追加されて、バッチ枚数に満たない端数の計数硬貨の取り出しに、占有キー１８ｃ、１８ｄの押下が要求される。さらに、図１０（ａ）のステップＳ４０１の判定が、硬貨出金ボックス１６ａに収容された計数硬貨の枚数がバッチ枚数に到達したか否かの判定に置き換えられる。
【０１２９】
なお、整理計数処理においても、単純計数処理と同様、処理を占有する操作者が右側の操作者であるか左側の操作者であるかに拘わらず、右側の硬貨出金ボックス１６ａが計数硬貨の搬送先に設定され、左側の硬貨出金ボックス１６ｂがリジェクト硬貨の搬送先に設定されている。これに限らず、単純計数処理および整理計数処理において、左側の硬貨出金ボックス１６ｂが計数硬貨の搬送先に設定され、右側の硬貨出金ボックス１６ａがリジェクト硬貨の搬送先に設定されてもよく、あるいは、計数硬貨およびリジェクト硬貨の搬送先を、硬貨出金ボックス１６ａ、１６ｂの何れに設定するかを、操作者が予め設定できるようにしてもよい。
【０１３０】
あるいは、図１４に示すように、硬貨出金ボックス１６ａ、１６ｂのうち処理を占有するテラー側の硬貨出金ボックスに計数硬貨を振り分け、他方の硬貨出金ボックスにリジェクト硬貨を振り分けるようにしてもよい。すなわち、硬貨の処理が右側の操作者に占有されている場合（Ｓ１２１：ＹＥＳ）、制御部２０１は、右側の硬貨出金ボックス１６ａを計数硬貨の搬送先に設定し（Ｓ１２２）、左側の硬貨出金ボックス１６ｂをリジェクト硬貨の搬送先に設定する（Ｓ１２３）。また、硬貨の処理が左側の操作者に占有されている場合（Ｓ１２１：ＮＯ）、制御部２０１は、左側の硬貨出金ボックス１６ｂを計数硬貨の搬送先に設定し（Ｓ１２４）、右側の硬貨出金ボックス１６ａをリジェクト硬貨の搬送先に設定する（Ｓ１２５）。
【０１３１】
このように、計数処理においてより多くの硬貨が搬送され得る硬貨出金ボックスを、処理を占有する操作者側の硬貨出金ボックスに設定することにより、操作者は、計数硬貨の回収をより簡便に行うことができる。よって、貨幣入出金機１の利便性を高めることができる。
【０１３２】
＜回収計数処理＞
次に、硬貨収納部１０２から所定枚数の硬貨を回収する処理について説明する。
【０１３３】
図１５（ａ）、（ｂ）は、それぞれ、回収計数処理における硬貨の搬送経路を模式的に示す図である。図１５（ａ）には、硬貨入出金ユニット１２の最も前側の硬貨収納部１０２から所定枚数の硬貨を回収する際の搬送経路が示されている。回収すべき硬貨の金種および回収枚数は、上位端末２を介して指定される。
【０１３４】
図１５（ａ）に示すように、最も前側の硬貨収納部１０２から繰り出された硬貨は、搬送部１０７によって識別部１０８に搬送される。識別部１０８によって正常な硬貨であると識別された硬貨は、右側の硬貨出金ボックス１６ａに搬送される。識別部１０８によって異常な硬貨であると識別された硬貨は、一括保留部１０３に搬送される。やがて、右側の硬貨出金ボックス１６ａに収容された硬貨の枚数が最大収容枚数に到達すると、図１５（ｂ）に示すように、正常な硬貨の搬送先が左側の硬貨出金ボックス１６ｂに切り替えられる。このとき、右側の硬貨出金ボックス１６ａのロック機構２０５が解除される。操作者は、右側の硬貨出金ボックス１６ａから硬貨を回収して、硬貨出金ボックス１６ａを再セットする。
【０１３５】
その後、左側の硬貨出金ボックス１６ｂに収容された硬貨の枚数が最大収容枚数に到達すると、正常な硬貨の搬送先が右側の硬貨出金ボックス１６ａに切り替えられる。こうして、正常な硬貨の搬送先が左右の硬貨出金ボックス１６ａ、１６ｂ間で切り替えられながら、指定枚数の硬貨が搬出される。指定枚数の硬貨の回収が終了すると、一括保留部１０３に収納されている異常な硬貨が一括保留部１０３から繰り出されて、再度、識別部１０８に搬送される。その後、異常な硬貨は、識別部１０８で識別された金種に対応する硬貨収納部１０２に戻される。これにより、硬貨の回収計数処理が終了する。
【０１３６】
図１６は、硬貨の回収計数処理における正常な硬貨の搬送先を硬貨出金ボックス１６ａ、１６ｂの何れか一方に設定するための処理を示すフローチャートである。
【０１３７】
まず、制御部２０１は、正常な硬貨の最初の搬送先を、硬貨出金ボックス１６ａ、１６ｂの何れか一方にデフォルトで設定する（Ｓ７０１）。次に、制御部２０１は、搬送対象の硬貨が正常な硬貨か否かを判定する（Ｓ７０２）。ここで、対象硬貨が正常な硬貨でない場合（Ｓ７０２：ＮＯ）、制御部２０１は、処理をステップＳ７０７に進める。他方、対象硬貨が正常な硬貨である場合（Ｓ７０３：ＹＥＳ）、制御部２０１は、現在の搬送先がフルか否か、すなわち、現在搬送先に設定されている硬貨出金ボックスに最大収容枚数の硬貨が収容されたか否かを判定する（Ｓ７０３）。現在の搬送先がフルでない場合（Ｓ７０３：ＮＯ）、制御部２０１は、現在の搬送先を正常な硬貨の搬送先として維持する（Ｓ７０４）。
【０１３８】
現在の搬送先がフルである場合（Ｓ７０３：ＹＥＳ）、制御部２０１は、現在の搬送先でない他方の硬貨出金ボックスが空であるか否かを判定する（Ｓ７０５）。他方の硬貨出金ボックスが空である場合（Ｓ７０５：ＹＥＳ）、制御部２０１は、他方の硬貨出金ボックスを正常な硬貨の搬送先に切り替える（Ｓ７０６）。また、他方の硬貨出金ボックスが空でない場合（Ｓ７０５：ＮＯ）、制御部２０１は、正常な硬貨の搬送先を維持する（Ｓ７０４）。なお、ステップＳ７０５の判定がＮＯの場合、制御部２０１は、硬貨収納部１０２からの硬貨の繰り出しを中断し、搬送部１０７の動作を停止させる。
【０１３９】
その後、たとえば、他方の硬貨出金ボックスから硬貨が回収されて他方の硬貨出金ボックスが空になると（Ｓ７０３：ＹＥＳ、Ｓ７０５：ＹＥＳ）、制御部２０１は、他方の硬貨出金ボックスを搬送先に切り替える（Ｓ７０６）。このとき、同時に、制御部２０１は、硬貨収納部１０２からの硬貨の繰り出しを再開させ、搬送部１０７を動作させる。制御部２０１は、以上の処理を、正常な硬貨が指定枚数計数されるまで繰り返す（Ｓ７０７）。こうして、図１５（ａ）、（ｂ）を参照して説明した搬送先の切り替えが行われる。
【０１４０】
図１７（ａ）は、硬貨の回収計数処理における処理を示すフローチャートである。
【０１４１】
回数計数処理が開始されると（Ｓ８０１：ＹＥＳ）、制御部２０１は、硬貨の処理を占有するための占有キー１８ｃ、１８ｄを点灯させる（Ｓ８０２）。処理の継続中に何れかの硬貨出金ボックス１６ａ、１６ｂがフルになると（Ｓ８０３：ＹＥＳ）、制御部２０１は、硬貨抜取り処理を実行する（Ｓ８０４）。
【０１４２】
図１７（ｂ）は、硬貨抜取り処理を示すフローチャートである。
【０１４３】
制御部２０１は、ランプ１９ａ、１９ｂのうち、フルになった硬貨出金ボックスの上方に配置されたランプを点滅させる（Ｓ９０１）。このとき同時に、制御部２０１は、フルになった硬貨出金ボックスに対するロックを解除する。また、制御部２０１は、フルになった硬貨出金ボックスを操作者に報知するための画面を操作表示部１７に表示させ、あるいは、報知音を音声出力部２０６に出力させてもよい。
【０１４４】
その後、フルになった硬貨出金ボックスが着脱されたことを検出すると（Ｓ９０２：ＹＥＳ）、制御部２０１は、当該硬貨出金ボックスに硬貨が残存しているか否かを判定する（Ｓ９０３）。硬貨が残存している場合（Ｓ９０３：ＮＯ）、制御部２０１は、処理をＳ９０２に戻して、硬貨の抜取りを待つ。他方、硬貨が残存していない場合（Ｓ９０３：ＹＥＳ）、制御部２０１は、ステップＳ９０１で点滅させたランプを消灯させる（Ｓ９０４）。これにより、硬貨抜取り処理が終了する。
【０１４５】
図１７（ａ）に戻り、硬貨抜取り処理（Ｓ８０４）が終了すると、制御部２０１は、指定枚数の硬貨が搬出されたか否かを判定する（Ｓ８０５）。指定枚数の硬貨が搬出されていない場合（Ｓ８０５：ＮＯ）、制御部２０１は、処理をステップＳ８０３に戻して、ステップＳ８０３以降の処理を繰り返す。指定枚数の硬貨が搬出された場合（Ｓ８０５：ＹＥＳ）、制御部２０１は、硬貨を収容している硬貨出金ボックスについて、硬貨抜取り処理を実行する（Ｓ８０６）。ステップＳ８０６で行われる硬貨抜取り処理は、図１７（ｂ）と同様である。硬貨出金ボックス１６ａ、１６ｂの何れにも硬貨が収容されていない場合、制御部２０１は、ステップＳ８０６をスキップする。その後、制御部２０１は、占有キー１８ｃ、１８ｄを消灯する（Ｓ８０７）。こうして、回収計数処理が終了する。
【０１４６】
図１５（ａ）〜図１７（ｂ）に示した回収計数処理によれば、左右の硬貨出金ボックス１６ａ、１６ｂに順番に硬貨が搬出されるため、操作者は、円滑かつ速やかに硬貨を回収することができる。
【０１４７】
また、図１７（ａ）の処理によれば、回収計数処理が継続されている間、占有キー１８ｃ、１８ｄが点灯するため、操作者は、占有キー１８ｃ、１８ｄを参照することにより、回収計数処理が継続中か否かを明確に把握できる。
【０１４８】
さらに、図１７（ｂ）に示した硬貨抜取り処理によれば、硬貨を抜き取るべき硬貨出金ボックスのランプが点滅するため、操作者は、硬貨出金ボックスに硬貨が収容されていることを把握でき、硬貨の抜き忘れを防ぐことができる。さらに、報知音や報知画面を出力させることにより、硬貨の抜き忘れをより確実に防ぐことができる。
【０１４９】
なお、回収計数処理においては、搬出された硬貨の枚数や金額を示す画面が、操作表示部１７に表示される。これにより、操作者は、回収した硬貨の枚数および金額を容易に確認することができる。
【０１５０】
＜電子ジャーナル＞
最後に、操作表示部１７に表示される電子ジャーナルログについて説明する。本実施形態では、電子ジャーナルログが２段階に分けられている。すなわち、まず、１つの処理に対して、その処理を纏めた計数結果が表示され、画面中の所定のボタンがタッチされると、詳細ログが表示される。
【０１５１】
図１８（ａ）は、１処理ごとの電子ジャーナルログのメイン画面Ｄ４１を示す図である。ここでは、自動精査に関する電子ジャーナルログのメイン画面が示されている。
【０１５２】
メイン画面Ｄ４１には、画面を戻すためのボタンＢ３１と、前日のログを表示するためのボタンＢ３２と、詳細ログを表示させるためのボタンＢ３３と、前後の時間の電子ジャーナルログに画面を遷移させるためのボタンＢ３４とを含んでいる。メイン画面Ｄ４１には、１つの処理（自動精査処理）に対して、その処理を纏めた計数結果が表示される。操作者は、ボタンＢ３３にタッチすることにより、メイン画面Ｄ４１に表示されている電子ジャーナルログの内容を１計数ごとに示す詳細ログを表示させることができる。
【０１５３】
図１８（ｂ）〜（ｇ）は、実施形態に係る、１計数ごとの電子ジャーナルログの詳細画面Ｄ５１を示す図である。
【０１５４】
詳細画面Ｄ５１には、前後の計数処理に対する電子ジャーナルログに画面を遷移させるためのボタンＢ３５が含まれている。詳細画面Ｄ５１には、自動精査の処理において行われた各計数処理における計数結果が表示される。たとえば、操作者が、図１８（ａ）に示したメイン画面Ｄ４１中のボタンＢ３３にタッチすると、図１８（ｂ）に示した詳細画面Ｄ５１が表示される。操作者は、この詳細画面Ｄ５１中の下向きのボタンＢ３５にタッチすることにより、図１８（ｃ）〜（ｇ）に示す他の詳細画面Ｄ５１を順次表示させることができる。
【０１５５】
なお、図１８（ａ）〜（ｇ）には、自動精査処理における電子ジャーナルログのメイン画面Ｄ４１と詳細画面Ｄ５１を示したが、入金処理や出金処理等の他の処理も同様に、処理を纏めたメイン画面と、当該処理の詳細を示す詳細画面とが２段階で表示されてもよい。たとえば、複数回に分けて入金が行われた場合、これら複数回の入金を纏めた１つの入金処理の合計金額をメイン画面に表示させ、このメイン画面中の詳細ボタンがタッチされると、各入金において計数された貨幣枚数や貨幣入出金機１に収納した貨幣の枚数およびその経緯を含む詳細画面を表示させてもよい。
【０１５６】
このように電子ジャーナルログを２段階に分けて表示させることにより、操作者は、メイン画面Ｄ４１で処理の内容を確認しながら、適宜、詳細画面Ｄ５１を表示させて当該処理における詳細な計数情報を円滑に確認できる。すなわち、操作者は、適宜、メイン画面Ｄ４１と詳細画面Ｄ５１とを使い分けることができ、これにより、所定の作業を円滑に進めることができる。
【０１５７】
＜実施形態の効果＞
本実施形態によれば、以下の効果が奏され得る。
【０１５８】
計数硬貨（計数対象の硬貨）が２つの硬貨出金ボックス１６ａ、１６ｂ（第１の硬貨出金部および第２の硬貨出金部）の一方に振り分けられ、リジェクト硬貨（計数対象外の硬貨）は２つの硬貨出金ボックス１６ａ、１６ｂ（第１の硬貨出金部および第２の硬貨出金部）の他方に振り分けられる。このため、操作者は、計数処理の終了後に、そのまま、各硬貨出金ボックスにアクセスすることで、計数硬貨（計数対象の硬貨）とリジェクト硬貨（計数対象外の硬貨）を速やかに且つ円滑に回収できる。
【０１５９】
すなわち、単純計数処理においては、計数対象として識別された任意の金種の硬貨が計数硬貨（第１の種別の硬貨）とされ、計数対象として識別され得なかった硬貨（損貨や識別不能の硬貨等）がリジェクト硬貨（第２の種別の硬貨）とされて、それぞれ、２つの硬貨出金ボックス１６ａ、１６ｂ（第１の硬貨出金部および第２の硬貨出金部）に振り分けられる。これにより、操作者は、金種が識別された正常な硬貨とそれ以外の硬貨とを、硬貨出金ボックス１６ａ、１６ｂから個別に円滑に取り出すことができる。
【０１６０】
また、整理計数処理においては、計数対象として識別された指定金種の硬貨が計数硬貨（第１の種別の硬貨）とされ、計数対象として識別され得なかった硬貨（指定金種以外の金種の硬貨、損貨および識別不能の硬貨等）がリジェクト硬貨（第２の種別の硬貨）とされて、それぞれ、２つの硬貨出金ボックス１６ａ、１６ｂ（第１の硬貨出金部および第２の硬貨出金部）に振り分けられる。これにより、操作者は、指定された金種の正常な硬貨と、それ以外の硬貨とを、硬貨出金ボックス１６ａ、１６ｂから個別に円滑に取り出すことができる。
【０１６１】
また、整理計数処理においては、図１１（ａ）を参照して説明したように、指定された金種についてバッチ枚数の計数硬貨が硬貨出金ボックス１６ａに搬送されると、計数硬貨の搬送先が、硬貨出金ボックス１６ａから硬貨入金口１３へと切り替えられて、計数硬貨が硬貨入金口へと自動で戻される。これにより、硬貨出金ボックス１６ａから計数硬貨が回収された後、整理計数処理を円滑に再開させることができる。
【０１６２】
また、図１０（ａ）、（ｂ）に示したように、制御部２０１は、単純計数処理および整理計数処理において、硬貨出金ボックス１６ａ、１６ｂの少なくとも一方の硬貨の収容枚数が予め決められた最大収容枚数に到達した場合、搬送部１０７による硬貨の搬送を停止させる。これにより、過度の枚数の硬貨が硬貨出金ボックス１６ａ、１６ｂに収容されて硬貨の回収が困難になることを回避できる。
【０１６３】
この場合、制御部２０１は、硬貨の収容枚数が最大収容枚数に到達した硬貨出金ボックスを操作者に報知する処理（ランプ１９ａ、１９ｂの点滅、メッセージの表示、報知音の出力）を実行する。これにより、操作者は、硬貨出金ボックス１６ａ、１６ｂにおいて硬貨の収容枚数が最大収容枚数に到達したことをより確実に知ることができ、当該硬貨出金ボックス１６ａ、１６ｂから硬貨を回収する作業を円滑かつ適切に進めることができる。
【０１６４】
また、本実施形態では、硬貨出金ボックス１６ａ、１６ｂが、同等の容量を有するように構成されている。これにより、硬貨出金ボックス１６ａ、１６ｂを同等の条件で処理に用いることができる。
【０１６５】
＜変更例１＞
上記実施形態では、単純計数処理および整理計数処理において、２つの硬貨出金ボックス１６ａ、１６ｂを、それぞれ、計数硬貨の搬送先とリジェクト硬貨の搬送先とに切り分ける制御モードを示したが、さらに、２つの硬貨出金ボックス１６ａ、１６ｂの一方を計数硬貨の搬送先に設定し、一括保留部１０３をリジェクト硬貨の搬送先に設定して、硬貨の搬送を行う他の制御モードを設け、これら２つの制御モードの何れを用いるかを操作者が選択設定できるようにしてもよい。この場合、他の制御モードでは、全ての計数硬貨が硬貨出金ボックス１６ａ、１６ｂの一方を介して回収された後に、この硬貨出金ボックスにリジェクト硬貨が搬出される。
【０１６６】
図１９（ａ）、（ｂ）は、この場合の計数硬貨およびリジェクト硬貨の搬送経路を模式的に示す図である。図１９（ａ）、（ｂ）には、単純計数処理における各硬貨の流れが示されている。以下の制御は、上記実施形態と同様、制御部２０１によって行われる。
【０１６７】
単純計数処理において、操作者は、操作表示部１７に対して単純計数処理のための入力を行った後、硬貨入金口１３から計数対象の硬貨を投入する。投入された硬貨は、硬貨受け入れ部１０１に受け入れられ、硬貨繰出機構１０４によって１枚ずつ搬送部１０７に繰り出される。繰り出された硬貨は、搬送部１０７によって識別部１０８に搬送される。
【０１６８】
識別部１０８により計数硬貨と識別された硬貨は、単純計数処理を占有する操作者側の硬貨出金ボックスに送られる。図１９（ａ）の例では、右側の操作者が単純計数処理を占有している。したがって、計数硬貨は、図１９（ａ）に示すように、分岐機構１１２によって、右側の硬貨出金ボックス１６ａに送られる。左側の操作者が単純計数処理を占有している場合は、左側の硬貨出金ボックス１６ｂに計数硬貨が送られる。一方、識別部１０８により計数硬貨と識別され得なかった硬貨、すなわち、リジェクト硬貨は、分岐機構１０９によって、一括保留部１０３に送られる。
【０１６９】
計数動作が終了すると、計数硬貨を収容する右側の硬貨出金ボックス１６ａのロック状態が解除される。操作者は、右側の硬貨出金ボックス１６ａから計数硬貨を回収する。その後、右側の硬貨出金ボックス１６ａが装着されると、硬貨出金ボックス１６ａがロックされ、図１９（ｂ）に示すように、硬貨繰出機構１０６によって一括保留部１０３からリジェクト硬貨が繰り出される。繰り出されたリジェクト硬貨は、計数硬貨の場合と同様、単純計数処理を占有する操作者側の硬貨出金ボックスに送られる。図１９（ａ）の例では、右側の操作者が単純計数処理を占有している。したがって、リジェクト硬貨は、図１９（ｂ）に示すように、分岐機構１１２によって、右側の硬貨出金ボックス１６ａに送られる。
【０１７０】
こうしてリジェクト硬貨の搬送が終了すると、硬貨処理占有用の占有キー１８ｃ、１８ｄが点滅される。この場合、２つの占有キー１８ｃ、１８ｄのうち、単純計数処理を占有する操作者側の占有キーのみ、すなわち、図１９（ｂ）の例では、右側の占有キー１８ｂのみが点滅されてもよい。
【０１７１】
操作者により占有キー１８ｃ、１８ｄの何れかが押下されると、占有キー１８ｃ、１８ｄが消灯され、リジェクト硬貨を収納する硬貨出金ボックス１６ａのランプ１９ａを点滅される。このとき同時に、硬貨出金ボックス１６ａのロックが解除される。さらに、リジェクト硬貨の抜取りを促すメッセージが操作表示部１７に表示されてもよく、また、硬貨出金ボックス１６ａにリジェクト硬貨が収納されていることを操作者に報知するための音声が、音声出力部２０６から出力されてもよい。
【０１７２】
これに応じて、操作者は、右側の硬貨出金ボックス１６ａを引き出して硬貨を抜き取り、その後、硬貨出金ボックス１６ａを収容位置に戻す。こうして、単純計数処理が終了する。
【０１７３】
なお、本変更例１においても、計数動作の間に、計数硬貨を収容する硬貨出金ボックスがフルになった場合は、図１０（ａ）の処理が実行される。また、一括保留部１０３に収容されたリジェクト硬貨を効果出金ボックスがフルになった場合は、図１０（ｂ）の処理が実行される。この場合、図１０（ｂ）のステップＳ５０２、Ｓ５１１は、一括保留部１０３に対するリジェクト硬貨の繰り出しおよび搬送に置き換えられる。
【０１７４】
また、整理計数処理においては、上記実施形態に比べて、リジェクト硬貨の搬送先が一括保留部１０３に変更される。この場合も、まず、計数硬貨が、バッチ処理により、整理計数処理を占有する硬貨出金ボックスに送られ、計数硬貨の処理が終了した後に、一括保留部１０３から整理計数処理を占有する硬貨出金ボックスにリジェクト硬貨が搬送される。各硬貨の搬送時に硬貨出金ボックスがフルになった場合の処理は、上記と同様である。
【０１７５】
変更例１の構成によれば、計数硬貨とリジェクト硬貨の両方が、処理を占有する操作者側の硬貨出金ボックスに搬送されるため、操作者は、各硬貨を自身に近い硬貨出金ボックスから簡便に抜き取ることができる。よって、計数硬貨とリジェクト硬貨を迅速かつ円滑に回収することができる。
【０１７６】
また、変更例１の構成では、まず、全ての計数硬貨が硬貨出金ボックスに搬送された後、リジェクト硬貨が硬貨出金ボックスに搬送されるため、上記実施形態に比べて、計数硬貨の計数および搬送を迅速に進めることができる。
【０１７７】
さらに、計数硬貨の枚数がリジェクト硬貨の枚数よりも多い場合、変更例１の構成では、上記実施形態に比べて、全ての硬貨に対する計数処理に要する時間を短縮することができる。
【０１７８】
なお、変更例１の構成では、必ずしも、計数硬貨とリジェクト硬貨が処理を占有する操作射側の硬貨出金ボックスに搬送されなくともよく、たとえば、左右何れの操作者が硬貨計数の処理を占有しているかに拘わらず、計数硬貨とリジェクト硬貨の搬送先が左右何れか一方の硬貨出金ボックスに固定されてもよい。この場合、搬送先の硬貨出金ボックスに対して反対側に位置する操作者は、硬貨の取り出しがやや不便になるものの、上記変更例１と同様、計数硬貨を効率良く計数でき、また、計数硬貨の枚数がリジェクト硬貨の枚数よりも多い場合に、全ての硬貨に対する計数処理に要する時間を短縮できるとの効果が奏され得る。
【０１７９】
また、変更例１の構成では、必ずしも、硬貨出金ボックスが左右に設けられなくともよく、硬貨出金ボックスが装置本体に１つだけ設けられてもよい。この場合も、上記変更例１と同様、計数硬貨を効率良く計数でき、また、全ての硬貨に対する計数処理に要する時間を短縮できるとの効果が奏され得る。
【０１８０】
＜変更例２＞
図１に示したように、上記実施形態では、占有キー１８ａ〜１８ｄのサイズおよび形状が互いに同じであった。この場合、占有キー１８ａ〜１８ｄの見た目が同じであるため、操作者は、硬貨処理の占有または紙幣処理の占有において、占有キー１８ａ〜１８ｄを押し間違えることがあり、このため、操作すべき占有ボタンを慎重に見極める必要がある。このような作業は、業務効率の低下に繋がる。
【０１８１】
そこで、変更例２では、図２０に示すように、紙幣処理を占有するための占有キー１８ａ、１８ｂと、硬貨処理を占有するための占有キー１８ｃ、１８ｄの形状を相違させている。より詳細には、紙幣処理を占有するための占有キー１８ａ、１８ｂを、紙幣の平面形状である長方形に設定し、硬貨処理を占有するための占有キー１８ｃ、１８ｄを、硬貨の平面形状である円形に設定している。また、紙幣処理を占有するための占有キー１８ａ、１８ｂの向きを、紙幣入金口１５に対する紙幣の入出金方向に合わせている。
【０１８２】
このように占有キー１８ａ〜１８ｄの形状を設定することにより、操作者は、各ボタンを見ることで直観的に、各占有ボタンが紙幣処理と硬貨処理の何れを占有するためのものであるかを認識できる。また、操作者は、視力や距離の関係から各占有ボタンに含まれる表記を明確に視認できない場合も、各占有ボタンの形状から、各占有ボタンが紙幣処理と硬貨処理の何れを占有するためのものであるかを認識できる。さらに、操作者は、各占有ボタンを見なくても手で触れた感触により、その占有ボタンが紙幣処理と硬貨処理の何れを占有するためのものであるかを認識できる。
【０１８３】
よって、操作者は、占有キー１８ａ〜１８ｄを押し間違えることなく、円滑に、所望の占有ボタンを操作することができる。これにより、作業効率を高めることができる。
【０１８４】
＜変更例３＞
上記実施形態では、硬貨入金口１３の後方に操作表示部１７が斜めに傾くように配置された。すなわち、操作表示部１７は、硬貨入金口１３とは別に独立して配置された。これに対し、変更例３では、操作表示部１７の配置領域の周辺が、硬貨を受けて硬貨入金口１３へと案内するガイドの役割を果たすように構成されている。
【０１８５】
図２１（ａ）は、変更例３に係る貨幣入出金機１の硬貨入金口１３付近の構成を示す斜視図である。また、図２１（ｂ）は、図２１（ａ）の構成を左右方向に垂直な平面で切断した断面図である。
【０１８６】
図２１（ａ）に示すように、変更例３では、操作表示部１７の配置領域が、硬貨入金口１３に向かって低くなるように傾斜したトレイ状の形状となっている。操作表示部１７は、このトレイ形状の中央位置に配置されている。トレイ形状の前側は、硬貨入金口１３へと繋がっている。また、操作表示部１７の左右の領域は、それぞれ、内方に向かって低くなるように滑らかに傾斜した傾斜面Ｓ１となっている。
【０１８７】
したがって、傾斜面Ｓ１に投入された硬貨Ｃ１は、傾斜面Ｓ１を内方および前方に滑って、硬貨入金口１３へと導かれ、硬貨入金口１３の内部へと落下する。また、操作表示部１７の上面に投入された硬貨Ｃ１も、操作表示部１７の上面を滑って、硬貨入金口１３へと導かれる。操作表示部１７や傾斜面Ｓ１に硬貨Ｃ１が残留した場合、操作者は、手等で軽く硬貨Ｃ１を硬貨入金口１３側に掃くことにより、簡単に、硬貨Ｃ１を硬貨入金口１３に導くことができる。
【０１８８】
図２１（ｂ）に示すように、硬貨入金口１３の前側も、中央に向かって低くなる傾斜面Ｓ２になっている。したがって、この傾斜面Ｓ２に投入された硬貨Ｃ１は、傾斜面Ｓ２を滑って硬貨入金口１３へと導かれ、硬貨入金口１３の内部へと落下する。なお、図２１（ｂ）において、１７ａは、操作表示部１７の回路ユニットを示している。
【０１８９】
このように、変更例３では、操作表示部１７の配置領域の周辺が、硬貨Ｃ１を受けて硬貨入金口１３へと案内するガイドの役割を果たすように構成されている。よって、硬貨を投入可能な領域を広げることができ、操作者は、より簡便かつ円滑に、硬貨を硬貨入金口１３に投入することができる。
【０１９０】
また、変更例３では、トレイ形状の部分に埋め込まれるようにして操作表示部１７が配置されるため、上記実施形態に比べて、奥行きと操作表示部１７の上方への突出量を抑制でき、これにより、貨幣入出金機１の小型化を図ることができる。
【０１９１】
なお、傾斜面Ｓ１の傾き角および形状は、図２１（ａ）に示した傾き角および形状に限定されるものではなく、また、トレイ形状の前後方向の傾き角も図２１（ａ）に示した傾き角に限定されるものではない。トレイ形状およびその傾き角は、トレイ形状が硬貨を受けて硬貨入金口１３へと案内するガイドの役割を果たし、かつ、操作表示部１７が見にくくならない限りにおいて、種々の変更が可能である。
【０１９２】
なお、変更例３の構成において、操作表示部１７が感圧式のタッチパネルである場合、硬貨投入時に操作表示部１７の上面に硬貨が接触したとしても、操作表示部１７は反応することがないよう、タッチパネルは所定時間タッチしなければ反応しないこととしてもよい。但し、万一、硬貨の接触により操作表示部１７が反応して誤作動が生じないように、硬貨の投入の期間、すなわち、操作表示部１７に対する入力が完了した後、計数開始の指示（占有キー１８の押下）までの期間は、操作表示部１７が入力を受け付けないように制御を行うことが好ましい。
【０１９３】
＜その他の変更例＞
上記実施形態では、単純計数処理および整理計数処理における計数結果が操作表示部１７に表示されたが、上位端末２からの指示により単純計数処理および整理計数処理が行われる場合は、さらに計数結果が上位端末２に表示されてもよく、あるいは、計数結果がレシート印字されてもよい。
【０１９４】
また、上記実施形態では、操作表示部１７が操作部と表示部とが一体化された構成であったが、操作部と表示部とが別体であってもよく、あるいは、操作表示部１７が本体１０ａとは別に設けられ、無線または有線により本体１０ａ側と接続された構成であってもよい。この場合、図３に示した制御部２０１、記憶部２０２および通信部２０３が、操作表示部１７側に設けられてもよい。
【０１９５】
また、上記実施形態では、紙幣入出金ユニット１１および硬貨入出金ユニット１２を備える貨幣入出金機１が、本発明の貨幣処理装置の一例として挙げられたが、本発明は、硬貨入出金ユニット１２のみを備える硬貨入出金機に適用されてもよい。
【０１９６】
この他、本発明の実施形態は、特許請求の範囲に記載の範囲で適宜変更可能である。
【符号の説明】
【０１９７】
１  貨幣入出金機（貨幣処理装置）
１３  硬貨入金口
１６ａ、１６ｂ  硬貨出金ボックス（第１の硬貨出金部、第２の硬貨出金部）
１０７  搬送部
１０８  識別部
１０９、１１２  分岐機構（振り分け部）
２０１  制御部
【図１】
2019057269.tif 000003
【図２】
2019057269.tif 000004
【図３】
2019057269.tif 000005
【図４】
2019057269.tif 000006
【図５】
2019057269.tif 000007
【図６】
2019057269.tif 000008
【図７】
2019057269.tif 000009
【図８】
2019057269.tif 000010
【図９】
2019057269.tif 000011
【図１０】
2019057269.tif 000012
【図１１】
2019057269.tif 000013
【図１２】
2019057269.tif 000014
【図１３】
2019057269.tif 000015
【図１４】
2019057269.tif 000016
【図１５】
2019057269.tif 000017
【図１６】
2019057269.tif 000018
【図１７】
2019057269.tif 000019
【図１８】
2019057269.tif 000020
【図１９】
2019057269.tif 000021
【図２０】
2019057269.tif 000022
【図２１】
2019057269.tif 000023